(57)【要約】  近接セルに関連付けられた（１つまたは複数の）パラメータ値に関係するインジケータを採用し、ネットワーク中でモバイルデバイスによる通信を可能にするシステム、方法、およびデバイスについて説明する。モバイルデバイスは、検出された近接セルに関連付けられたパラメータ値を随意に読み取り、信号強度情報と、モバイルデバイスがパラメータ値を読み取ったかどうかを示すインジケータ情報とをサービング基地局に提供することができる。サービング基地局は、受信情報を評価することに部分的に基づいて、モバイルデバイスを通信可能に接続すべきセルを選択することができる。パラメータ値がモバイルデバイスによって読み取られなかった場合、サービング基地局は近接セルにパラメータ値を要求することができる。近接セルは、特定の基地局に関して特定のパラメータ値をいつ適用すべきかを示す１対１インジケータを提供することができる。
2010532971.tif 000002
【特許請求の範囲】
【請求項１】
モバイルデバイスに関連付けられた通信を可能にする方法であって、
検出された近接セルに関係する少なくとも１つの属性に関連付けられた少なくとも１つのパラメータ値を随意に読み取ることと、
少なくとも１つのインジケータの少なくとも部分に基づいて、前記モバイルデバイスに関連付けられた通信を可能にするために、前記少なくとも１つのパラメータ値が読み取られたかどうかを示すことを可能にするために、前記少なくとも１つのパラメータ値に関連付けられた前記少なくとも１つのインジケータを送信することと
を備える方法。
【請求項２】
前記少なくとも１つのパラメータ値が、前記検出された近接セルの信号強度を備える前記少なくとも１つの属性に関係するオフセット値、限定加入者グループ（ＣＳＧ）ビット、または前記少なくとも１つの属性に関係するオフセット値に関する、前記検出された近接セルとサービング基地局との間の１対１の関係のうちの少なくとも１つに関係する、請求項１に記載の方法。
【請求項３】
前記近接セルを検出することと、
前記検出された近接セルの信号強度を測定することと、
前記検出された近接セルに関連付けられたオフセットパラメータ値が読み取られた場合、改良された信号強度を得るために、前記オフセットパラメータ値を備える前記少なくとも１つのパラメータ値を前記測定信号強度に適用することと、
前記測定信号強度または前記改良された信号強度のうちの少なくとも１つと、オフセットインジケータを備える前記少なくとも１つのインジケータとを測定報告でサービング基地局に送信することであって、前記オフセットインジケータは、前記モバイルデバイスが前記オフセットパラメータ値を読み取った場合、前記オフセットパラメータ値が読み取られたことを示し、または、前記モバイルデバイスが前記オフセットパラメータ値を読み取らなかった場合、前記オフセットパラメータ値が読み取られなかったことを示す、送信することと
をさらに備える、請求項１に記載の方法。
【請求項４】
前記検出された近接セルに関係する情報を含む更新された近接セルリストを受信すること
をさらに備える、請求項３に記載の方法。
【請求項５】
前記検出された近接セルから１対１インジケータを受信することであって、前記１対１インジケータは、前記検出された近接セルが異種基地局にそれぞれ関連付けられた異種オフセットパラメータ値を採用し、前記検出された近接セルが第１のサービング基地局に対して第１のオフセットパラメータ値を採用することを示す、受信することと、
前記１対１インジケータとオフセットインジケータとを備える前記少なくとも１つのインジケータをサービング基地局に送信することであって、前記オフセットインジケータは、前記モバイルデバイスが前記検出された近接セルに関連付けられた前記オフセットパラメータ値を読み取らなかったことを示す、送信することと、
前記第１のサービング基地局から、前記検出された近接セルに関係する情報であって、前記第１のオフセットパラメータ値を備える情報を含む更新された近接セルリストを受信することと
をさらに備える、請求項１に記載の方法。
【請求項６】
前記モバイルデバイスを異種サービング基地局に切り替えることと、
前記検出された近接セルから別の１対１インジケータを受信することであって、前記検出された近接セルが前記異種サービング基地局に対して異種オフセットパラメータ値を採用する、受信することと、
前記他の１対１インジケータとオフセットインジケータとをサービング基地局に送信することであって、前記オフセットインジケータは、前記モバイルデバイスが前記検出された近接セルに関連付けられた前記オフセットパラメータ値を読み取らなかったことを示す、送信することと、
前記異種サービング基地局から、前記検出された近接セルに関係する情報であって、前記異種オフセットパラメータ値を備える情報を含む更新された異種近接セルリストを受信することと
をさらに備える、請求項５に記載の方法。
【請求項７】
前記モバイルデバイスがサービング基地局のサービングセルから、選択された近接セルに切り替わるべきであることを示すメッセージを受信することであって、前記選択された近接セルが前記少なくとも１つのインジケータに少なくとも部分的に基づいて選択される、受信することと、
前記モバイルデバイスを前記サービング基地局の前記サービングセルから前記選択された近接セルに切り替えることと
をさらに備える、請求項１に記載の方法。
【請求項８】
前記検出された近接セルが限定加入者グループ（ＣＳＧ）に関連付けられていることを示す情報を受信することと、
前記検出された近接セルがＣＳＧに関連付けられていることを示すＣＳＧビットインジケータを備える前記少なくとも１つのインジケータを送信することと、
前記モバイルデバイスに関連付けられた通信用の選択されたセルに関係するメッセージを受信することであって、前記選択されたセルが前記ＣＳＧインジケータに少なくとも部分的に基づいて選択される、受信することと
をさらに備える、請求項１に記載の方法。
【請求項９】
少なくとも１つのインジケータの少なくとも部分に基づいて、モバイルデバイスに関連付けられた通信を可能にするために、検出された近接セルに関連付けられた少なくとも１つの属性に関係する少なくとも１つのパラメータ値の随意の読取りに関連付けられた前記少なくとも１つのインジケータの送信に関係する命令を保持するメモリと、
前記メモリに結合され、前記メモリ中に保持された前記命令を実行するように構成されたプロセッサと
を備えるワイヤレス通信装置。
【請求項１０】
前記少なくとも１つのパラメータ値が、前記検出された近接セルの信号強度を備える前記少なくとも１つの属性に関係するオフセット値、限定加入者グループ（ＣＳＧ）ビット、または前記少なくとも１つの属性に関係する、前記検出された近接セルとサービング基地局との間の１対１のオフセット値のうちの少なくとも１つに関係する、請求項９に記載のワイヤレス通信装置。
【請求項１１】
前記メモリが、前記検出された近接セルに関連付けられた前記少なくとも１つの属性に関係する前記少なくとも１つのパラメータ値の随意の読取りに関係する命令をさらに保持する、請求項９に記載のワイヤレス通信装置。
【請求項１２】
前記メモリが、前記少なくとも１つのインジケータの少なくとも部分に基づいて、モバイルデバイスに通信可能に接続すべきセルの選択に関係する命令をさらに保持する、請求項９に記載のワイヤレス通信装置。
【請求項１３】
前記メモリが、前記検出された近接セルから受信した情報に少なくとも部分的に基づいて、前記少なくとも１つのインジケータを設定することに関係する命令を保持する、請求項９に記載のワイヤレス通信装置。
【請求項１４】
モバイルデバイスに関連付けられた通信を可能にするワイヤレス通信装置であって、
検出された近接セルに関係する少なくとも１つの属性に関連付けられた少なくとも１つのパラメータ値を随意に読み取ることを可能にするために、前記モバイルデバイスに関連付けられた通信に関係する情報を要求するために、前記検出された近接セルに問い合わせるための手段と、
少なくとも１つのインジケータの少なくとも部分に基づいて、前記モバイルデバイスに関連付けられた通信を可能にするために、前記少なくとも１つのパラメータ値が読み取られたかどうかを示すことを可能にするために、前記検出された近接セルに関連付けられた前記少なくとも１つのパラメータ値に関連付けられた前記少なくとも１つのインジケータを送信するための手段と
を備えるワイヤレス通信装置。
【請求項１５】
前記少なくとも１つのインジケータが、前記検出された近接セルの信号強度を備える前記少なくとも１つの属性に関係するオフセット値、限定加入者グループ（ＣＳＧ）ビット、または前記少なくとも１つの属性に関係するオフセット値に関する、前記検出された近接セルとサービング基地局との間の１対１の関係のうちの少なくとも１つに関係する、請求項１４に記載のワイヤレス通信装置。
【請求項１６】
前記近接セルを検出するための手段と、
前記検出された近接セルの信号強度を測定するための手段と、
前記測定信号強度と、前記検出された近接セルに関連付けられたオフセットパラメータ値が読み取られた場合、前記オフセットパラメータ値を備える前記少なくとも１つのパラメータ値とに少なくとも部分的に基づいて、改良された信号強度を判断するための手段と、
前記測定信号強度または前記改良された信号強度のうちの少なくとも１つと、オフセットインジケータを備える前記少なくとも１つのインジケータとを測定報告でサービング基地局に送信するための手段であって、前記オフセットインジケータは、前記モバイルデバイスが前記オフセットパラメータ値を読み取った場合、前記オフセットパラメータ値が読み取られたことを示し、または、前記モバイルデバイスが前記オフセットパラメータ値を読み取らなかった場合、前記オフセットパラメータ値が読み取られなかったことを示す、送信するための手段と
をさらに備える、請求項１４に記載のワイヤレス通信装置。
【請求項１７】
前記検出された近接セルから１対１インジケータを受信するための手段であって、前記１対１インジケータは、前記検出された近接セルが異種基地局にそれぞれ関連付けられた異種オフセットパラメータ値を採用することを示す、受信するための手段と、
前記１対１インジケータとオフセットインジケータとを備える前記少なくとも１つのインジケータをサービング基地局に送信するための手段であって、前記オフセットインジケータは、前記モバイルデバイスが前記検出された近接セルに関連付けられた前記オフセットパラメータ値を読み取らなかったことを示す、送信するための手段と、
第１のサービング基地局から、前記検出された近接セルに関係する情報を含む更新された近接セルリストを受信するための手段であって、前記情報が、前記検出された近接セルと前記第１のサービング基地局とに少なくとも部分的に基づいて判断された第１のオフセットパラメータ値を備える、受信するための手段と
をさらに備える、請求項１４に記載のワイヤレス通信装置。
【請求項１８】
検出された近接セルに関係する少なくとも１つの属性に関連付けられた少なくとも１つのパラメータ値を随意に読み取り、
少なくとも１つのインジケータの少なくとも部分に基づいて、モバイルデバイスに関連付けられた通信を可能にするために、前記少なくとも１つのパラメータ値が読み取られたかどうかを示すことを可能にするために、前記少なくとも１つのパラメータ値に関連付けられた前記少なくとも１つのインジケータを送信する
ためのコードを備えるコンピュータ可読媒体
を備えるコンピュータプログラム製品。
【請求項１９】
前記近接セルを検出し、
前記検出された近接セルに関連付けられた信号強度を測定し、
前記オフセットパラメータ値が読み取られた場合、前記検出された近接セルに関連付けられたオフセットパラメータ値を備える前記少なくとも１つのパラメータ値を前記測定信号強度に適用することに少なくとも部分的に基づいて、改良された信号強度を判断し、
前記測定信号強度または前記改良された信号強度のうちの少なくとも１つと、前記モバイルデバイスが前記オフセットパラメータ値を読み取った場合、前記オフセットパラメータ値が読み取られたことを示し、または、前記モバイルデバイスが前記オフセットパラメータ値を読み取らなかった場合、前記オフセットパラメータ値が読み取られなかったことを示すオフセットインジケータを備える前記少なくとも１つのインジケータとを測定報告でサービング基地局に送信する
ためのコードを備えるコンピュータ可読媒体
をさらに備える、請求項１８に記載のコンピュータプログラム製品。
【請求項２０】
前記検出された近接セルから、前記検出された近接セルが異なる基地局にそれぞれ関連付けられた異なるオフセットパラメータ値を採用し、前記検出された近接セルが第１のサービング基地局に対して第１のオフセットパラメータ値を採用することを示す１対１インジケータを受信し、
前記１対１インジケータと、前記モバイルデバイスが前記検出された近接セルに関連付けられた前記オフセットパラメータ値を読み取らなかったことを示すオフセットインジケータとを備える前記少なくとも１つのインジケータをサービング基地局に送信し、
前記第１のサービング基地局から、前記検出された近接セルに関係する情報であって、前記第１のオフセットパラメータ値を備える情報を含む更新された近接セルリストを受信する
ためのコードを備えるコンピュータ可読媒体
をさらに備える、請求項１８に記載のコンピュータプログラム製品。
【請求項２１】
前記検出された近接セルが限定加入者グループ（ＣＳＧ）に関連付けられていることを示す情報を受信し、
前記検出された近接セルがＣＳＧに関連付けられていることを示すＣＳＧビットインジケータを備える前記少なくとも１つのインジケータを送信し、
前記ＣＳＧインジケータに少なくとも部分的に基づいて選択された、前記モバイルデバイスに関連付けられた通信用の選択されたセルに関係するメッセージを受信する
ためのコードを備えるコンピュータ可読媒体
をさらに備える、請求項１８に記載のコンピュータプログラム製品。
【請求項２２】
ワイヤレス通信システムにおいて、
検出された近接セルに関係する少なくとも１つの属性に関連付けられた少なくとも１つのパラメータ値を随意に読み取り、
少なくとも１つのインジケータの少なくとも部分に基づいて、モバイルデバイスに関連付けられた通信を可能にするために、前記少なくとも１つのパラメータ値が読み取られたかどうかを示すことを可能にするために、前記少なくとも１つのパラメータ値に関連付けられた前記少なくとも１つのインジケータを送信する
ように構成されたプロセッサ
を備える装置。
【請求項２３】
前記プロセッサが、
前記近接セルを検出し、
前記検出された近接セルの信号強度を測定し、
前記検出された近接セルに関連付けられたオフセットパラメータ値が読み取られた場合、改良された信号強度を得るために、前記オフセットパラメータ値を備える前記少なくとも１つのパラメータ値を前記測定信号強度に適用し、
前記測定信号強度または前記改良された信号強度のうちの少なくとも１つと、前記モバイルデバイスが前記オフセットパラメータ値を読み取った場合、前記オフセットパラメータ値が読み取られたことを示し、または、前記モバイルデバイスが前記オフセットパラメータ値を読み取らなかった場合、前記オフセットパラメータ値が読み取られなかったことを示すオフセットインジケータを備える前記少なくとも１つのインジケータとを測定報告でサービング基地局に送信する
ようにさらに構成された、請求項２２に記載の装置。
【請求項２４】
モバイルデバイスに関連付けられた通信を可能にする方法であって、
検出されたセルに関連付けられた少なくとも１つのパラメータ値に関係する少なくとも１つのインジケータを受信することと、
前記少なくとも１つのインジケータの少なくとも部分に基づいて、前記モバイルデバイスに通信可能に接続すべきセルを選択することと
を備える方法。
【請求項２５】
前記検出された近接セルに関連付けられた信号強度に関係する情報を備える測定報告を受信することと、
前記受信した信号強度が前記少なくとも１つのインジケータに少なくとも部分的に基づいて調整された信号強度であるかどうかを判断することと
をさらに備える、請求項２４に記載の方法。
【請求項２６】
前記少なくとも１つのインジケータが、前記少なくとも１つのパラメータ値が読み取られなかったことを示す場合、前記少なくとも１つのパラメータ値を要求することと、
前記少なくとも１つのインジケータが、前記少なくとも１つのパラメータ値が読み取られたが未検証であることを示す場合、前記少なくとも１つのパラメータ値を要求することと、
前記少なくとも１つのインジケータが、前記少なくとも１つのパラメータ値が読み取られず、前記検出された近接セルが１対１のオフセットパラメータ値を有することを示す場合、前記少なくとも１つのパラメータ値を要求することと、
前記検出された近接セルから前記少なくとも１つのパラメータ値を受信することと
のうちの少なくとも１つ
をさらに備える、請求項２４に記載の方法。
【請求項２７】
前記検出された近接セルに関係する情報であって、前記少なくとも１つのインジケータに関係する情報を少なくとも備える情報を含むように近接セルリストを更新することと、
前記更新された近接セルリストを前記モバイルデバイスに送信することと
をさらに備える、請求項２６に記載の方法。
【請求項２８】
前記少なくとも１つのインジケータが、前記モバイルデバイスが前記少なくとも１つのインジケータに関係する前記少なくとも１つのパラメータ値を読み取ったことを示す場合、インジケータを未検証に設定することと、
前記少なくとも１つのパラメータ値を検証することを可能にするために、前記検出された近接セルに前記少なくとも１つのパラメータ値を要求することと、
前記少なくとも１つのパラメータ値を受信することと、
前記検出された近接セルに関係する情報であって、前記少なくとも１つのインジケータと前記少なくとも１つの検証されたパラメータ値とに関係する情報を少なくとも備える情報を含むように近接セルリストを更新することと、
前記更新された近接セルリストを前記モバイルデバイスに送信することと
をさらに備える、請求項２４に記載の方法。
【請求項２９】
少なくとも１つのインジケータの少なくとも部分に基づいて、モバイルデバイスに通信可能に接続すべきセルの選択を可能にするために、検出されたセルに関連付けられた少なくとも１つのパラメータ値に関係する前記少なくとも１つのインジケータの受信に関係する命令を保持するメモリと、
前記メモリに結合され、前記メモリ中に保持された前記命令を実行するように構成されたプロセッサと
を備えるワイヤレス通信装置。
【請求項３０】
前記メモリが、前記少なくとも１つのインジケータと受信した信号強度情報とに少なくとも部分的に基づいて、前記検出された近接セルの信号強度の判断に関係する命令をさらに保持する、請求項２９に記載のワイヤレス通信装置。
【請求項３１】
前記メモリが、前記少なくとも１つのインジケータの少なくとも部分に基づいて、近接セルリストの更新に関係する命令をさらに保持する、請求項２９に記載のワイヤレス通信装置。
【請求項３２】
モバイルデバイスに関連付けられた通信を可能にするワイヤレス通信装置であって、
検出されたセルに関連付けられた少なくとも１つのパラメータ値に関係する少なくとも１つのインジケータを受信するための手段と、
前記少なくとも１つのインジケータの少なくとも部分に基づいて、前記モバイルデバイスに通信可能に接続すべきセルを選択するための手段と
を備えるワイヤレス通信装置。
【請求項３３】
前記検出された近接セルに関連付けられた受信した信号強度情報と前記少なくとも１つのインジケータとに少なくとも部分的に基づいて、前記検出された近接セルの信号強度を判断するための手段
をさらに備える、請求項３２に記載のワイヤレス通信装置。
【請求項３４】
前記少なくとも１つのインジケータが、前記少なくとも１つのパラメータ値が読み取られたことを示す場合、受信したパラメータ値に関係する情報を検証することか、前記少なくとも１つのインジケータが、前記少なくとも１つのパラメータ値が読み取られなかったことを示す場合、前記少なくとも１つのパラメータ値を得ることか、または、前記少なくとも１つのインジケータが、前記少なくとも１つのパラメータ値が読み取られず、前記検出された近接セルが１対１のオフセットパラメータ値を有することを示す場合、前記少なくとも１つのパラメータ値を得ることのうちの少なくとも１つを行うために、前記検出された近接セルに前記少なくとも１つのパラメータ値を要求するための手段
をさらに備える、請求項３２に記載のワイヤレス通信装置。
【請求項３５】
前記少なくとも１つのインジケータの少なくとも部分に基づいて、近接セルリストを更新するための手段と、
前記更新された近接セルリストを送信するための手段と
をさらに備える、請求項３２に記載のワイヤレス通信装置。
【請求項３６】
検出されたセルに関連付けられた少なくとも１つのパラメータ値に関係する少なくとも１つのインジケータを受信し、
前記少なくとも１つのインジケータの少なくとも部分に基づいて、モバイルデバイスに通信可能に接続すべきセルを選択する
ためのコードを備えるコンピュータ可読媒体
を備えるコンピュータプログラム製品。
【請求項３７】
前記少なくとも１つのインジケータが、前記少なくとも１つのパラメータ値が読み取られたことを示す場合、受信したパラメータ値に関係する情報を検証することか、前記少なくとも１つのインジケータが、前記少なくとも１つのパラメータ値が読み取られなかったことを示す場合、前記少なくとも１つのパラメータ値を得ることか、または、前記少なくとも１つのインジケータが、前記少なくとも１つのパラメータ値が読み取られず、前記検出された近接セルが１対１のオフセットパラメータ値を有することを示す場合、前記少なくとも１つのパラメータ値を得ることのうちの少なくとも１つを行うために、前記検出された近接セルに前記少なくとも１つのパラメータ値を要求し、
前記検出された近接セルに関係する情報であって、前記検出された近接セルに関連付けられた信号強度と前記少なくとも１つのパラメータ値とを少なくとも備える情報を含むように近接セルリストを更新し、
前記更新された近接セルリストを前記モバイルデバイスに送信する
ためのコードを備えるコンピュータ可読媒体
をさらに備える、請求項３６に記載のコンピュータプログラム製品。
【請求項３８】
前記モバイルデバイスに通信可能に接続すべきセルを選択することを可能にするために、前記検出された近接セルに関連付けられた受信した信号強度情報と前記少なくとも１つのインジケータとに少なくとも部分的に基づいて、前記検出された近接セルの信号強度を判断する
ためのコードを備えるコンピュータ可読媒体
をさらに備える、請求項３６に記載のコンピュータプログラム製品。
【請求項３９】
ワイヤレス通信システムにおいて、
検出されたセルに関連付けられた少なくとも１つのパラメータ値に関係する少なくとも１つのインジケータを受信し、
前記少なくとも１つのインジケータの少なくとも部分に基づいて、モバイルデバイスに通信可能に接続すべきセルを選択する
ように構成されたプロセッサ
を備える装置。
【請求項４０】
前記プロセッサが、
前記少なくとも１つのインジケータが、前記少なくとも１つのパラメータ値が読み取られなかったことを示す場合、前記少なくとも１つのパラメータ値を要求し、
前記少なくとも１つのインジケータが、前記少なくとも１つのパラメータ値が読み取られたが未検証であることを示す場合、前記少なくとも１つのパラメータ値を要求し、
前記少なくとも１つのインジケータが、前記少なくとも１つのパラメータ値が読み取られず、前記検出された近接セルが１対１のオフセットパラメータ値を有することを示す場合、前記少なくとも１つのパラメータ値を要求し、
前記モバイルデバイスに通信可能に接続すべきセルを選択することを可能にするために、前記検出された近接セルに関連付けられた、受信した信号強度情報と、前記少なくとも１つのパラメータ値と、前記少なくとも１つのインジケータとに少なくとも部分的に基づいて、前記検出された近接セルの信号強度を判断する
ようにさらに構成された、請求項３９に記載の装置。
【請求項４１】
前記プロセッサが、
前記検出された近接セルに関係する情報であって、前記検出された近接セルに関連付けられた信号強度と前記少なくとも１つのパラメータ値とを少なくとも備える情報を含むように近接セルリストを更新し、
前記更新された近接セルリストを前記モバイルデバイスに送信する
ようにさらに構成された、請求項３９に記載の装置。
【発明の詳細な説明】
【技術分野】
【０００１】
関連出願の相互参照
本出願は、出願の全体が参照により本明細書に組み込まれる、２００７年７月６日に出願された「ＭＥＴＨＯＤ  ＡＮＤ  ＡＰＰＡＲＡＴＵＳ  ＦＯＲ  ＰＲＯＣＥＳＳＩＮＧ  ＱＯＦＦＳＥＴ  ＰＡＲＡＭＥＴＥＲ」と題する米国仮特許出願第６０／９４８，４２１号の利益を主張する。
【０００２】
以下の説明は、一般に、ワイヤレス通信に関し、より詳細には、ユーザ装置（ＵＥ）による検出されたセル中のＱｏｆｆｓｅｔパラメータの随意の読取り、およびＱｏｆｆｓｅｔパラメータの処理に関する。
【背景技術】
【０００３】
ワイヤレス通信システムは、様々なタイプの通信を提供するために広く展開されており、たとえば、ボイスおよび／またはデータをそのようなワイヤレス通信システムを介して提供することができる。典型的なワイヤレス通信システムまたはネットワークは、１つまたは複数の共有リソース（たとえば、帯域幅、送信電力、．．．）へのアクセスを複数のユーザに提供することができる。たとえば、システムは、周波数分割多重（ＦＤＭ）、時間分割多重（ＴＤＭ）、符号分割多重（ＣＤＭ）、第３世代パートナーシッププロジェクト（３ＧＰＰ）ロングタームエボリューション（ＬＴＥ）システム、直交周波数分割多重（ＯＦＤＭ）などの様々な多元接続技法を使用することができる。
【０００４】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。この通信リンクは、１入力１出力、多入力１出力、または多入力多出力（ＭＩＭＯ）システムを介して確立できる。
【０００５】
たとえば、ＭＩＭＯシステムは、データ伝送用に複数（ＮＴ）個の送信アンテナと複数（ＮＲ）個の受信アンテナとを採用することができる。ＮＴ個の送信アンテナとＮＲ個の受信アンテナとによって形成されたＭＩＭＯチャネルは、空間チャネルとも呼ばれるＮＳ個の独立チャネルに分解でき、ここで、ＮＳ≦ｍｉｎ｛ＮＴ，ＮＲ｝である。ＮＳ個の独立チャネルの各々は１つの次元に対応することができる。複数の送信および受信アンテナによって生成された追加の次元数が利用された場合、ＭＩＭＯシステムは、改善されたパフォーマンス（たとえば、より高いスループットおよび／またはより大きい信頼性）を与えることができる。
【０００６】
ＭＩＭＯシステムは、時分割複信（ＴＤＤ）システムと周波数分割複信（ＦＤＤ）システムとをサポートすることができる。ＴＤＤシステムでは、順方向リンク伝送と逆方向リンク伝送を同じ周波数領域上で行うことができるので、相反定理により逆方向リンクチャネルから順方向リンクチャネルを推定することが可能である。これにより、複数のアンテナがアクセスポイントにおいて利用可能なとき、アクセスポイントは、順方向リンク上で送信ビーム形成利得を取り出すことが可能になる。
【０００７】
ワイヤレス通信システムは、しばしば、カバレージエリアを与える１つまたは複数の基地局を採用する。典型的な基地局は、ブロードキャスト、マルチキャストおよび／またはユニキャストサービス用の複数のデータストリームを送信することができ、データストリームは、モバイルデバイスの独立した受信対象となるデータのストリームとすることができる。そのような基地局のカバレージエリア内のモバイルデバイスを採用して、複合ストリームによって搬送される１つ、２つ以上、またはすべてのデータストリームを受信することができる。同様に、モバイルデバイスはデータを基地局または別のモバイルデバイスに送信することができる。
【０００８】
典型的には、モバイルデバイスは、そのモバイルデバイスの近くのセルの信号強度をモニタし、測定し、その信号強度を、そのモバイルデバイスを担当する基地局に報告することができるので、特定の近接セルがサービングセルよりも強い信号強度を有しているかどうか、およびサービングセルから近接セルへのモバイルデバイスのハンドオーバを実行すべきかどうかを判断することが可能である。セルの信号強度に関して、セルを測定信号強度に付加できるオフセット値（たとえば、Ｑｏｆｆｓｅｔ）に関連付けて、測定信号強度の値に影響を及ぼす現象を補正すれば、信号強度のより正確な測定が可能になる。従来、たとえば、ユニバーサル移動通信システム（ＵＭＴＳ）に関して、オフセット値は、近接セルに関する情報を含んでいる近接セルリスト中にパラメータとして含まれ、サービング基地局によって維持される。しかしながら、近接セルは、サービングセル中で伝送される近接セルリスト上に常にあるとは限らず、したがって、未知の近接セルのオフセットなどの情報はサービング基地局に知られない。したがって、適切なオフセット値がなければ、未知の近接セルの測定信号強度を正規化または調整（たとえば、補正）することができない。セル（たとえば、以前に未知の近接セル）のオフセット値などのパラメータを効率的に検出し、読み取ることが望ましい。また、モバイルデバイスによって、近接セルなどのセルに関連付けられたパラメータ値（たとえば、Ｑｏｆｆｓｅｔ）の報告に関する柔軟性を可能にすることが望ましい。
【発明の概要】
【０００９】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形で提示することである。
【００１０】
１つまたは複数の実施形態およびその対応する開示に従って、ワイヤレス通信環境において通信デバイスによって検出および／またはモニタされた（たとえば、近接基地局に関連付けられた）セルのパラメータまたは属性に関係する１つまたは複数のインジケータを採用することによって、ネットワーク内の通信デバイス（たとえば、モバイルデバイス）に関連付けられた効率的な接続および通信を可能にすることに関して、様々な態様について説明する。一態様では、通信デバイスは、検出された近接セルに関連付けられた（１つまたは複数の）パラメータ値を随意に読み取り、検出された近接セルに関係する情報をサービング基地局に提供することができ、その情報は、たとえば、属性値（たとえば、測定信号強度）、（１つまたは複数の）パラメータ値（たとえば、通信デバイスが随意に読み取ることができるオフセット値）、および通信デバイスが（１つまたは複数の）パラメータ値を読み取ったかどうか、検出された近接セルが限定加入者グループ（ＣＳＧ）に関連付けられているかどうか、検出された近接セルが特定のパラメータ値（たとえば、パラメータ値が近接セルに関係するとき、異なるセルに対して採用される異なるパラメータ値）に関して基地局との１対１の関係を所望するかどうか、などを示すことができる１つまたは複数のインジケータを含むことができる。
【００１１】
サービング基地局は、検出された近接セルに関連付けられた受信情報を利用して、検出された近接セルおよびそれに関係する情報を含むように、その近接セルリストを更新することを可能にする。サービング基地局は、受信情報（たとえば、測定信号強度、オフセットなど）を評価して、通信デバイスが受信情報の評価に部分的に基づいて通信可能に接続すべきセルを選択することを可能にする。また、サービング基地局が、パラメータに関係する受信インジケータに少なくとも部分的に基づいて、パラメータ値が通信デバイスによって読み取られていないと判断した場合、サービング基地局は、ネットワーク内の接続性（たとえば、Ｘ２またはＳ１インターフェース）を使用して、近接セルにパラメータ値を要求することができる。サービング基地局が、パラメータに関係する受信インジケータに少なくとも部分的に基づいて、パラメータ値が通信デバイスによって読み取られたと判断した場合、サービング基地局は、パラメータ値を検証することを可能にするために、近接セルにパラメータ値を（たとえば、随意に）要求することができる。サービング基地局は、通信デバイスによって読み取られたパラメータに関して「未検証」インジケータを採用することもでき、「未検証」インジケータは、少なくともサービング基地局がパラメータ値を検証し終えるまで、近接セルに関係する他の情報とともに近接セルリスト中に記憶できる。
【００１２】
関連する態様に従って、モバイルデバイスに関連付けられた通信を可能にする方法について、本明細書で説明する。本方法は、検出された近接セルに関係する少なくとも１つの属性に関連付けられた少なくとも１つのパラメータ値を随意に読み取ることを含むことができる。さらに、本方法は、少なくとも１つのインジケータの少なくとも部分に基づいて、モバイルデバイスに関連付けられた通信を可能にするために、少なくとも１つのパラメータ値が読み取られたかどうかを示すことを可能にするために、少なくとも１つのパラメータ値に関連付けられた少なくとも１つのインジケータを送信することを備えることができる。
【００１３】
別の態様は、ワイヤレス通信装置に関する。ワイヤレス通信装置は、少なくとも１つのインジケータの少なくとも部分に基づいて、モバイルデバイスに関連付けられた通信を可能にするために、検出された近接セルに関連付けられた少なくとも１つの属性に関係する少なくとも１つのパラメータ値の随意の読取りに関連付けられた少なくとも１つのインジケータの送信に関係する命令を保持するメモリを含むことができる。さらに、ワイヤレス通信装置は、メモリに結合され、メモリ中に保持された命令を実行するように構成されたプロセッサを含むことができる。
【００１４】
また別の態様は、モバイルデバイスに関連付けられた通信を可能にするワイヤレス通信装置に関する。ワイヤレス通信装置は、検出された近接セルに関係する少なくとも１つの属性に関連付けられた少なくとも１つのパラメータ値を随意に読み取ることを可能にするために、モバイルデバイスに関連付けられた通信に関係する情報を要求するために、検出された近接セルに問い合わせるための手段を含むことができる。さらに、ワイヤレス通信装置は、少なくとも１つのインジケータの少なくとも部分に基づいて、モバイルデバイスに関連付けられた通信を可能にするために、少なくとも１つのパラメータ値が読み取られたかどうかを示すことを可能にするために、検出された近接セルに関連付けられたその少なくとも１つのパラメータ値に関連付けられた少なくとも１つのインジケータを送信するための手段を備えることができる。
【００１５】
さらに別の態様は、検出された近接セルに関係する少なくとも１つの属性に関連付けられた少なくとも１つのパラメータ値を随意に読み取り、少なくとも１つのインジケータの少なくとも部分に基づいて、モバイルデバイスに関連付けられた通信を可能にするために、少なくとも１つのパラメータ値が読み取られたかどうかを示すことを可能にするために、少なくとも１つのパラメータ値に関連付けられた少なくとも１つのインジケータを送信するためのコードを備えるコンピュータ可読媒体を備えるコンピュータプログラム製品に関する。
【００１６】
別の態様によれば、ワイヤレス通信システム中の装置はプロセッサを含むことができ、プロセッサは、検出された近接セルに関係する少なくとも１つの属性に関連付けられた少なくとも１つのパラメータ値を随意に読み取るように構成できる。その上、プロセッサは、少なくとも１つのインジケータの少なくとも部分に基づいて、モバイルデバイスに関連付けられた通信を可能にするために、少なくとも１つのパラメータ値が読み取られたかどうかの指示を可能にするために、その少なくとも１つのパラメータ値に関連付けられた少なくとも１つのインジケータを送信するように構成できる。
【００１７】
他の態様に従って、モバイルデバイスに関連付けられた通信を可能にする方法について、本明細書で説明する。本方法は、検出されたセルに関連付けられた少なくとも１つのパラメータ値に関係する少なくとも１つのインジケータを受信することを含むことができる。さらに、本方法は、少なくとも１つのインジケータの少なくとも部分に基づいて、モバイルデバイスに通信可能に接続する基地局を選択することを備えることができる。
【００１８】
また別の態様は、少なくとも１つのインジケータに少なくとも部分的に基づいてモバイルデバイスに通信可能に接続するセルの選択を可能にするために、検出されたセルに関連付けられた少なくとも１つのパラメータ値に関係する少なくとも１つのインジケータの受信に関係する命令を保持するメモリを含むことができるワイヤレス通信装置に関する。さらに、ワイヤレス通信装置は、メモリに結合され、メモリ中に保持された命令を実行するように構成されたプロセッサを備えることができる。
【００１９】
別の態様は、モバイルデバイスに関連付けられた通信を可能にするワイヤレス通信装置に関する。ワイヤレス通信装置は、検出されたセルに関連付けられた少なくとも１つのパラメータ値に関係する少なくとも１つのインジケータを受信するための手段を含むことができる。さらに、ワイヤレス通信装置は、少なくとも１つのインジケータの少なくとも部分に基づいて、モバイルデバイスに通信可能に接続するセルを選択するための手段を含むことができる。
【００２０】
さらに別の態様は、検出されたセルに関連付けられた少なくとも１つのパラメータ値に関係する少なくとも１つのインジケータを受信し、少なくとも１つのインジケータの少なくとも部分に基づいて、モバイルデバイスに通信可能に接続するセルを選択するためのコードを備えるコンピュータ可読媒体を備えるコンピュータプログラム製品に関する。
【００２１】
別の態様によれば、ワイヤレス通信システム中の装置はプロセッサを含むことができ、プロセッサは、検出されたセルに関連付けられた少なくとも１つのパラメータ値に関係する少なくとも１つのインジケータを受信するように構成できる。さらに、プロセッサは、少なくとも１つのインジケータの少なくとも部分に基づいて、モバイルデバイスに通信可能に接続するセルを選択するように構成できる。
【００２２】
上記および関連する目的を達成するために、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を使用することができる様々な方法のほんのいくつかを示すものであり、説明する実施形態は、すべてのそのような態様およびそれらの均等物を含むものとする。
【図面の簡単な説明】
【００２３】
【図１】本明細書に記載の様々な態様によるワイヤレス通信システムを示す図。
【図２】開示する主題の一態様による、ワイヤレス通信環境内でモバイルデバイスに関連付けられた検出された近接セルに関係するメッセージフローの例示的な図。
【図３】開示する主題の一態様による、ワイヤレス通信環境内でモバイルデバイスに関連付けられた検出された近接セルに関係するメッセージフローの例示的な図。
【図４】開示する主題の一態様による、ワイヤレス通信環境中で検出された近接セルと他のセルとの間にそれぞれの１対１の関係がある、検出された近接セルに関係するメッセージフローの例示的な図。
【図５】開示する主題の一態様による、ワイヤレス通信環境内でモバイルデバイスに関連付けられた通信を可能にする例示的なシステムを示す図。
【図６】開示する主題の一態様による、ワイヤレス通信環境中でモバイルデバイスに関連付けられた通信を可能にする別の例示的なシステムを示す図。
【図７】開示する主題の一態様による、ワイヤレス通信システム中でモバイルデバイスに関連付けられた通信を可能にする例示的な方法を示す図。
【図８】開示する主題の一態様による、ワイヤレス通信システム中でモバイルデバイスによる通信を可能にするために、モバイルデバイスによって検出された近接セルのパラメータ値を随意に読み取ることを可能にする例示的な方法を示す図。
【図９】開示する主題の一態様による、１対１インジケータを採用してワイヤレス通信システム中でモバイルデバイスに関連付けられた通信を可能にする例示的な方法を示す図。
【図１０】開示する主題の一態様による、ワイヤレス通信システム中でモバイルデバイスに関連付けられた通信を可能にする例示的なモバイルデバイスを示す図。
【図１１】開示する主題の一態様による、ワイヤレス通信システム中でモバイルデバイスに関連付けられた通信を可能にする例示的なシステムを示す図。
【図１２】本明細書で説明する様々なシステムおよび方法に関連して採用できる例示的なワイヤレスネットワークシステムを示す図。
【図１３】ワイヤレス通信環境中でモバイルデバイスに関連付けられた通信を可能にする例示的なシステムを示す図。
【図１４】ワイヤレス通信環境中でモバイルデバイスに関連付けられた通信を可能にする別の例示的なシステムを示す図。
【発明を実施するための形態】
【００２４】
次に、図面を参照しながら様々な実施形態について説明するが、全体にわたって同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られた構造およびデバイスはブロック図の形態で示す。
【００２５】
本出願で使用する「構成要素」、「モジュール」、「システム」、「検出器」、「質問器」、「属性コミュニケータ」、「インジケータ」、「選択器」、「コミュニケータ」、「評価器」などの用語は、コンピュータ関連のエンティティ、ハードウェア、ファームウェア、ハードウェアとソフトウェアとの組合せ、ソフトウェア、または実行中のソフトウェアのいずれかを指すことがある。たとえば、構成要素は、プロセッサ上で実行されるプロセス、プロセッサ、オブジェクト、実行ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００２６】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、汎用地上無線アクセス（ＵＴＲＡ）、ＣＤＭＡ２０００などの無線技術を実装することができる。ＵＴＲＡは広帯域ＣＤＭＡ（Ｗ−ＣＤＭＡ）およびＣＤＭＡの他の変形態を含む。ＣＤＭＡ２０００は、ＩＳ−２０００、ＩＳ−９５およびＩＳ−８５６規格をカバーする。ＴＤＭＡシステムは広域移動体通信システム（ＧＳＭ）などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＯなどの無線技術を実装することができる。ＵＴＲＡおよびＥ−ＵＴＲＡはユニバーサル移動通信システム（ＵＭＴＳ）の一部である。３ＧＰＰロングタームエボリューション（ＬＴＥ）は、Ｅ−ＵＴＲＡを使用するＵＭＴＳの今度のリリースであり、これは、ダウンリンク上ではＯＦＤＭＡを採用し、アップリンク上ではＳＣ−ＦＤＭＡを採用する。ＵＴＲＡ、Ｅ−ＵＴＲＡ、ＵＭＴＳ、ＬＴＥおよびＧＳＭは「第３世代パートナーシッププロジェクト」（３ＧＰＰ）という名称の組織の文書に記載されている。ＣＤＭＡ２０００およびＵＭＢは「第３世代パートナーシッププロジェクト２」（３ＧＰＰ２）という名称の組織の文書に記載されている。これらの様々な無線技術および規格は当技術分野で知られている。
【００２７】
さらに、様々な実施形態について、モバイルデバイスに関して本明細書で説明する。モバイルデバイスは、システム、加入者ユニット、加入者局、移動局、モバイル、リモート局、リモート端末、アクセス端末、ユーザ端末、端末、ワイヤレス通信デバイス、ユーザエージェント、ユーザデバイス、またはユーザ装置（ＵＥ）とも呼ばれることがある。モバイルデバイスは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続される他の処理デバイスとすることができる。さらに、様々な実施形態について、基地局に関して本明細書で説明する。基地局は、（１つまたは複数の）モバイルデバイスと通信するために利用でき、アクセスポイント、ノードＢ（たとえば、進化型ノードＢ、ｅノードＢ、ｅＮＢ）、または何らかの他の用語で呼ばれることもある。
【００２８】
その上、本明細書で説明する様々な態様または特徴は、標準のプログラミングおよび／またはエンジニアリング技法を使用した方法、装置、または製造品として実装できる。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。
【００２９】
次に図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。図１には１つの基地局１０２が示されているが、開示する主題は、たとえば、サービング基地局１０２および１つまたは複数の近接基地局１０２など、２つ以上の基地局をネットワーク中に備えることができることを諒解されたい。
【００３０】
基地局１０２は、モバイルデバイス１１６およびモバイルデバイス１２２など１つまたは複数のモバイルデバイスと通信することができるが、基地局１０２は、モバイルデバイス１１６および１２２と同様の実質的にいかなる数のモバイルデバイスとも通信することができることを諒解されたい。モバイルデバイス１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の適切なデバイスとすることができる。図示のように、モバイルデバイス１１６はアンテナ１１２および１１４と通信しており、アンテナ１１２および１１４は、順方向リンク１１８（たとえば、ダウンリンク（ｄＬ））を介して情報をモバイルデバイス１１６に送信し、逆方向リンク１２０（たとえば、アップリンク（ＵＬ））を介してモバイルデバイス１１６から情報を受信する。その上、モバイルデバイス１２２はアンテナ１０４および１０６と通信しており、アンテナ１０４および１０６は、順方向リンク１２４を介して情報をモバイルデバイス１２２に送信し、逆方向リンク１２６を介して情報をモバイルデバイス１２２から受信する。周波数分割複信（ＦＤＤ）システムでは、たとえば、順方向リンク１１８は、逆方向リンク１２０によって使用される周波数帯とは異なる周波数帯を利用することができ、順方向リンク１２４は、逆方向リンク１２６によって採用される周波数帯とは異なる周波数帯を採用することができる。さらに、時分割複信（ＴＤＤ）システムでは、順方向リンク１１８および逆方向リンク１２０は共通の周波数帯を利用することができ、順方向リンク１２４および逆方向リンク１２６は共通の周波数帯を利用することができる。
【００３１】
アンテナの各グループおよび／またはそれらが通信するように指定されたエリアを、基地局１０２のセクタと呼ぶことができる。たとえば、基地局１０２によってカバーされるエリアのセクタ中のモバイルデバイス（たとえば、１１６）と通信するようにアンテナグループを設計することができる。順方向リンク１１８および１２４を介した通信では、基地局１０２の送信アンテナは、ビーム形成を利用して、モバイルデバイス１１６および１２２についての順方向リンク１１８および１２４の信号対雑音比を向上させることができる。また、基地局１０２が、ビーム形成を利用して関連するカバレージ中に不規則に散在するモバイルデバイス１１６および１２２に送信する間、基地局が単一のアンテナを介してその基地局のすべてのモバイルデバイスに送信する場合と比較して、近接セル中のモバイルデバイスは干渉を受けにくい。
【００３２】
典型的には、モバイルデバイスは、そのモバイルデバイスの近くのセルの信号強度をモニタし、測定し、（たとえば、ネットワーク中のモバイルデバイス１１６による通信を可能にして）信号強度を、そのモバイルデバイスを担当するサービング基地局に報告することができるので、特定の近接セルがサービング基地局（たとえば、サービング基地局のセル）よりも望ましい（たとえば、強い）信号強度を有しているかどうか、およびサービング基地局から近接セルへのモバイルデバイスのハンドオーバを実行すべきかどうかを判断することが可能である。信号強度に関して、各セルを測定信号強度に付加できる（１つまたは複数の）オフセット値（たとえば、１対１Ｑｏｆｆｓｅｔまたは１対全ＱｏｆｆｓｅｔなどのＱｏｆｆｓｅｔ）に関連付けて、たとえば、測定信号強度の値に影響を及ぼすことがある現象を補正することができる。従来、たとえば、ユニバーサル移動通信システム（ＵＭＴＳ）に関して、オフセット値は、近接セルに関する情報を含んでいる近接セルリスト中にパラメータとして含まれ、サービング基地局によって維持できる。しかしながら、近接セルは、サービング基地局の近接セルリスト上に常にあるとは限らず、したがって、未知の近接セルのオフセット値などの情報はサービング基地局に知られない。したがって、適切なオフセット値がなければ、未知の近接セルの測定信号強度を正規化または調整（たとえば、補正）することができない。
【００３３】
近接基地局は、（１つまたは複数の）近接セル（たとえば、モバイルデバイスを現在担当していないセル）を動作させている基地局とすることができることを諒解し、理解されたい。近接セルは、サービング基地局に隣接する基地局である近接基地局に関連付けられたセルとすることができる。近接セルは、サービング基地局に関連付けられたセルとすることもでき、その近接セルは、モバイルデバイスを現在担当している（サービング基地局の）セルに隣接する。
【００３４】
一態様によれば、モバイルデバイス（たとえば、１１６）は、モバイルデバイスによって検出された１つまたは複数のセルにそれぞれ関連付けられた（たとえば、（１つまたは複数の）近接基地局など１つまたは複数の基地局１０２に関連付けられた）パラメータ値（たとえば、信号強度に関係する、Ｑｏｆｆｓｅｔなどのオフセット値、限定加入者グループ（ＣＳＧ）ビットなど）を随意に読み取ることができる。モバイルデバイスは、検出された近接セルならびにサービング基地局１０２のそれぞれの信号強度を検出し、測定することができ、検出された近接セルに関連付けられた、ならびにサービング基地局１０２に関連付けられた１つまたは複数のパラメータ（たとえば、Ｑｏｆｆｓｅｔ）を、それぞれ随意に読み取り、および／またはサービング基地局１０２に報告することができる。パラメータの正確な測定および報告を可能にするために、モバイルデバイスは、特定のパラメータ（たとえば、信号強度に関係するＱｏｆｆｓｅｔなどのオフセット）のパラメータ値が読み取られたかどうか、および／または関連する属性（たとえば、測定信号強度）が、特定のパラメータ（たとえば、オフセット）に部分的に基づいて、調整または正規化されたかどうかを示すことができる（１つまたは複数の）インジケータ（たとえば、（１つまたは複数の）フラグ）をサービング基地局１０２に提供することができる。
【００３５】
たとえば、モバイルデバイス（たとえば１１６）は、近接セルを検出することができ、信号強度を測定し、近接セルのＱｏｆｆｓｅｔ値を読み取ることができる。モバイルデバイス１１６は、（たとえば、随意に）Ｑｏｆｆｓｅｔ値を測定信号強度に適用することができ、Ｑｏｆｆｓｅｔ値によって調整された信号強度と、Ｑｏｆｆｓｅｔが読み取られ、送信信号強度に適用されたことを示すように設定できる（たとえば、オフセットインジケータはＴＲＵＥに設定される）オフセットインジケータ（たとえば、フラグ）とをサービング基地局１０２に送信する（たとえば、測定報告メッセージを送信する）ことができる。Ｑｏｆｆｓｅｔがモバイルデバイス１１６によって読み取られたことを示すように設定できるオフセットインジケータは、モバイルデバイス１１６によって報告された近接セルの信号強度レベルを解釈することを可能にするために、Ｑｏｆｆｓｅｔが（たとえば、検出された近接セルの信号強度レベルを補正するために）モバイルデバイスによって読み取られ、適用されたことをサービング基地局１０２に通知することを可能にする。サービング基地局１０２は、信号強度に関する情報、オフセットインジケータおよび／または他の情報を含む、検出された近接セルに関する情報を利用して、モバイルデバイス１１６の別のセルへのハンドオフを行うべきかどうかを判断することが可能である。また、たとえば、検出されたセルが以前に近接セルリスト中に含まれなかったとき、検出された近接セルに関係する情報を利用して、その近接セルリストを修正することができる。近接セルリストは、サービング基地局１０２によってモバイルデバイス１１６および１２２にブロードキャストできる。
【００３６】
別の態様では、たとえば、モバイルデバイス１１６が近接セルに関連付けられたパラメータ値（たとえば、オフセット値）を読み取り、読み取られたパラメータ値が、モバイルデバイス１１６によって記憶された近接セルリスト中に含まれる近接セルに関係する対応するパラメータ値と異なる場合、モバイルデバイス１１６は、読み取られたパラメータ値と、読み取られたパラメータ値が近接セルリスト中に記憶された対応するパラメータ値に一致しないことをサービング基地局１０２に通知することができる競合インジケータとをもつメッセージをサービング基地局１０２に送信することができる。受信情報（たとえば、競合インジケータ）に部分的に基づいて、サービング基地局１０２は、競合があるパラメータ値を近接セルに要求して、所望のパラメータ値を取得および／または検証することができる。サービング基地局１０２は、必要な場合、近接セルから受信したパラメータ値に部分的に基づいて、その近接セルリストを随意に更新することができる。
【００３７】
別の例として、モバイルデバイス（たとえば、１１６）は、近接セルを検出し、検出された近接セルから情報を受信することができ、その情報は、検出された近接セルがプライベート加入者グループ（たとえば、インターネットアクセスに利用されるユーザのパーソナルステーション）に関連付けられるか、および／または、他の場合には、小さいカバレージエリアを有することを示すことができるＣＳＧビットインジケータを含むことができる。モバイルデバイス１１６は、検出された近接セルに関連付けられた、ＣＳＧビットインジケータを含む情報をサービング基地局１０２に送信することができる。サービング基地局１０２は、そのような情報を評価し、検出された近接セルがＣＳＧに関係するので、サービング基地局１０２が、検出された近接セルを近接セルリスト中に含めないことを随意に判断することができ、または、必要に応じて、サービング基地局１０２は、検出された近接セルに関する情報を含むように、近接セルリストを更新することができる。
【００３８】
図２を手短に参照すると、開示する主題の一態様による、検出された近接セルに関係するメッセージフローの例示的な図２００が示されている。一態様によれば、サービング基地局１０２は近接セルリストをモバイルデバイス（たとえば、１１６）に送信することができ、その近接セルリストは近接セル１を含まない（２０２）。モバイルデバイス１１６は、近接セル１を検出し、（１つまたは複数の）パラメータ（たとえば、Ｑｏｆｆｓｅｔ）を読み取ることができる（２０４）。モバイルデバイス１１６は、（１つまたは複数の）パラメータ値と、（１つまたは複数の）パラメータが読み取られたことを示すことができる（１つまたは複数の）インジケータ（たとえば、オフセットインジケータ）と、（１つまたは複数の）読み取られたパラメータに関係する測定された属性（たとえば、信号強度）とを、サービング基地局１０２へのメッセージ（たとえば、測定報告メッセージ）中に含めることができる（２０６）。ネットワーク中のサービング基地局１０２は、（１つまたは複数の）報告されたパラメータ値、インジケータ情報、および／または近接セル１に関連付けられた他の情報を使用して、知られている近接セルの近接セルリストを実装および／または更新することができる。サービング基地局１０２は、セル識別情報およびオフセット値など、近接セル１に関係する情報を含む更新された近接セルリストをモバイルデバイス１１６に送信することができる（２０８）。
【００３９】
図１を再び参照すると、さらに別の態様では、サービング基地局１０２がモバイルデバイス（たとえば、１１６）から検出された近接セルに関連付けられた（１つまたは複数の）パラメータおよび／または（１つまたは複数の）属性に関する報告を受信したとき、必要に応じて、サービング基地局１０２は、受信した（１つまたは複数の）パラメータ値が未検証であり、信頼できず、および／または揮発性であることを示すことができる「未検証」インジケータを提供することができ、「未検証」インジケータは、検出された近接セルに関する他の情報とともに近接セルリスト中に記憶でき、近接セルリストは、サービング基地局１０２によってサービング基地局１０２に関連付けられたモバイルデバイス１１６および１２２に対してブロードキャストできる。これにより、サービング基地局１０２が、モバイルデバイスによって報告された、検出された近接セルの（１つまたは複数の）パラメータが正確であることを検証することを望むとき、正確な近接セルリストを維持することが可能になり、また、サービング基地局１０２は、近接セル中の（１つまたは複数の）パラメータ値（たとえば、Ｑｏｆｆｓｅｔ）がいつ変化するかを知らなくてもよい。
【００４０】
さらに別の態様では、サービング基地局１０２は、検出された近接セルと通信する能力を有することができ、検出された近接セルに関連付けられた（１つまたは複数の）パラメータ値（たとえば、Ｑｏｆｆｓｅｔ、ＣＳＧビット）を判断するか、またはモバイルデバイスによってサービング基地局１０２に報告された（１つまたは複数の）パラメータ値を確認することができる。サービング基地局１０２と近接セルとの間の通信は、サービング基地局１０２と近接セルとの間に確立できるいかなる経路を介しても可能になる。たとえば、サービング基地局１０２と近接セルとの間の通信は、Ｘ２インターフェースを介して、またはモビリティ管理エンティティ（ＭＭＥ）を介したルーティングによって可能になる。
【００４１】
図３を手短に参照すると、開示する主題の一態様による、検出された近接セルに関係するメッセージフローの例示的な図３００が示されている。一例として、サービング基地局１０２は、近接セルリストを含むメッセージをモバイルデバイス１１６に送信することができ、その近接セルリストは近接セル１を含まない（３０２）。モバイルデバイス１１６は、近接セル１を検出し、近接セル１の信号強度を測定することができ、近接セル１のオフセット（たとえば、Ｑｏｆｆｓｅｔ）を読み取らないことを随意に決定することができる（３０４）。モバイルデバイス１１６は、測定報告をサービング基地局１０２に送信することができ、測定報告は、検出された近接セル１の信号強度に関する情報、およびＱｏｆｆｓｅｔが読み取られなかったことを示すように設定できる（たとえば、オフセットインジケータはＦＡＬＳＥに設定できる）オフセットインジケータを提供することができる（３０６）。サービング基地局１０２は、オフセット値の要求を近接セル１に送信することができる（３０８）。近接セル１は、そのオフセット値をサービング基地局１０２に送信することができる（３１０）。サービング基地局１０２は、近接セル１に関連付けられたオフセット値およびセル識別情報などの情報を含むようにその近接セルリストを更新することができる。サービング基地局１０２は、ネットワーク中でモバイルデバイスとの通信を可能にするために、更新された近接セルリストをモバイルデバイス１１６に送信することができる（３１２）。
【００４２】
図１を再び参照すると、別の態様では、近接セルは、異なる基地局１０２とともに使用する異なる値を有することができるパラメータを有することができる。たとえば、近接セル（たとえば、モバイルデバイスによって検出された近接セル）は、各基地局と１対１の関係を有することができ、近接セルによって使用されるＱｏｆｆｓｅｔパラメータ（たとえば、１対１Ｑｏｆｆｓｅｔ）は、近接セルが関連付けられた基地局１０２（たとえば、基地局１０２のセル）に部分的に応じて、異なる値を有することができる。これが行われる例は、モバイルデバイス１１６がトンネル中を移動している（たとえば、モバイルデバイス１１６が、（１つまたは複数の）セルが採用されるトンネル中を移動している車の中にある）「トンネルセル」シナリオ、および／またはモバイルデバイス１１６が移動しているハイウェイに沿ったセルに関係するが、１対１Ｑｏｆｆｓｅｔが所望される他のシナリオもある。パラメータに関して、近接セルと基地局（たとえば、基地局１０２のセル）との間に１対１の関係が所望されるそのような例では、近接セルは、近接セルに関連付けられた基地局１０２に応じて異なる値を有することができるパラメータを有することができ、近接セルは、特定のパラメータに関して情報を送信しないか、または、近接セルが、特定の基地局１０２（たとえば、サービング基地局１０２）に関して使用すべき１対１のパラメータ値の使用の信号送信していることを示すことができる１対１インジケータなどのインジケータ（たとえばフラグ）を送信することができる。１対１インジケータは、そのインジケータをサービング基地局１０２に転送することができるモバイルデバイスに送信できるか、または、サービング基地局１０２によって要求された場合、サービング基地局１０２に直接送信できる。モバイルデバイスは、信号強度などの属性を測定することもでき、測定された属性をサービング基地局１０２に提供することができる。サービング基地局１０２は、近接セルと交信して、所望の（１つまたは複数の）パラメータ（たとえば、Ｑｏｆｆｓｅｔ）の値を取得することができる。近接セルによってサービング基地局１０２に提供された（１つまたは複数の）パラメータ値は特定のサービング基地局１０２に部分的に依存することがあり、異なるパラメータ値は異なる基地局１０２に提供できる。
【００４３】
図４を手短に参照すると、開示する主題の一態様による、検出された近接セルと他のセルとの間にそれぞれの１対１の関係がある、検出された近接セルに関係するメッセージフローの例示的な図４００が示されている。たとえば、第１の基地局１０２（たとえば、サービング基地局１）は、特定の近接セル（たとえば、近接セル１）を含まない第１の近接セルリストをモバイルデバイス１１６に送信することができる（４０２）。モバイルデバイス１１６は、近接セル１を検出し、近接セル１のオフセット（たとえば、Ｑｏｆｆｓｅｔ）に関連付けられた１対１インジケータを読み取ることができ、そのようなインジケータを、近接セルが異なる基地局１０２（たとえば、（１つまたは複数の）基地局１０２の異なる（１つまたは複数の）セル）に対して異なるオフセット値を有することができることを示すように設定することができる（４０４）。モバイルデバイス１１６は、近接セル１に関連付けられた信号強度および／または他の属性を測定することもできるが、使用すべき特定のオフセット値が、近接セル１が関連付けられるべき基地局（たとえば、サービング基地局１）に少なくとも部分的に基づくことができるとき、典型的にはそのオフセット値を読み取らない。モバイルデバイス１１６は、信号強度、オフセットインジケータ（たとえば、Ｑｏｆｆｓｅｔ＿ｒｅａｄ＝ＦＡＬＳＥ）、および１対１インジケータ（たとえば、Ｑｏｆｆｓｅｔ＿ｏｎｅ−ｔｏ−ｏｎｅ  ｉｎｄｉｃａｔｏｒ＝ＴＲＵＥ）など、近接セル１に関係する情報を含むことができる測定報告を第１の基地局１０２に送信することができる（４０６）。第１の基地局１０２は近接セル１にオフセット値を要求することができる（４０８）。近接セル１は、第１の基地局１０２に適用可能な所望のオフセット値（たとえば、Ｑｏｆｆｓｅｔ＝Ｙ  ｄｂ）を第１の基地局１０２に提供することができる（４１０）。第１の基地局１０２は、セル識別情報およびオフセット値など、近接セル１に関する情報を含むようにその近接セルリストを修正することができる。第１の基地局１０２は、修正した近接セルリストをモバイルデバイス１１６に送信することができる（４１２）。モバイルデバイス１１６を第２の基地局１０２（たとえば、サービング基地局２）にハンドオーバすることができる（４１４）。
【００４４】
同様の方法で、第２の基地局１０２は、近接セル１を含まないその近接セルリストをモバイルデバイス１１６に送信することができる（４１６）。モバイルデバイス１１６は、近接セル１を検出し、近接セル１のオフセット（たとえば、Ｑｏｆｆｓｅｔ）に関連付けられた１対１インジケータを読み取ることができ、１対１インジケータを、近接セル１が異なる基地局１０２に対して異なるオフセット値を有することができることを示すように設定することができる（４１８）。モバイルデバイス１１６は、近接セル１に関連付けられた信号強度および／または他の属性を測定することもできるが、使用すべき特定のオフセット値が、近接セル１が関連付けられるべき基地局（たとえば、サービング基地局２）に少なくとも部分的に基づくことができるとき、典型的にはオフセット値を読み取らない。モバイルデバイス１１６は、信号強度、オフセットインジケータ（たとえば、Ｑｏｆｆｓｅｔ＿ｒｅａｄ＝ＦＡＬＳＥ）、および１対１インジケータ（たとえば、Ｑｏｆｆｓｅｔ＿ｏｎｅ−ｔｏ−ｏｎｅ  ｉｎｄｉｃａｔｏｒ＝ＴＲＵＥ）など、近接セル１に関係する情報を含むことができる測定報告を第２の基地局１０２に送信することができる（４２０）。第２の基地局１０２は近接セルにオフセット値を要求することができる（４２２）。近接セル１は、第２の基地局１０２に適用可能である（たとえば、Ｑｏｆｆｓｅｔ＝Ｚ  ｄｂなど、第１の基地局１０２に関連付けられたＱｏｆｆｓｅｔ値とは異なる）異種Ｑｏｆｆｓｅｔ値を第２の基地局１０２に提供することができる（４２４）。第２の基地局１０２は、セル識別情報および異種オフセット値など、近接セル１に関する情報を含むようにその近接セルリストを修正することができる。第２の基地局１０２は、修正した近接セルリストをモバイルデバイス１１６に送信することができる（４２６）。
【００４５】
図１を再び参照すると、さらに別の態様では、近接セルは、それが１対全Ｑｏｆｆｓｅｔ値（たとえば、すべての基地局で使用される同じＱｏｆｆｓｅｔ値）ではなく１対１Ｑｏｆｆｓｅｔ値を所望することを示すインジケータを送信することができる。インジケータ情報は、サービング基地局１０２が、報告された近接セルに適切なＱｏｆｆｓｅｔ値を要求することを可能にするために、アップリンクシグナリングでモバイルデバイス（たとえば、１１６）からサービング基地局１０２に伝搬できる。
【００４６】
図５を参照すると、開示する主題の一態様による、ワイヤレス通信環境内でモバイルデバイスに関連付けられた通信を可能にするシステム５００が示されている。システム５００は、モバイルデバイス１１６など、１つまたは複数のモバイルデバイスと通信することができる基地局１０２（たとえば、サービング基地局１０２）を含むことができる。明瞭さおよび簡潔さのために、１つのモバイルデバイスのみが図５に示されていることを諒解し、理解されたい。その上、基地局１０２は、別の（１つまたは複数の）基地局（たとえば、（１つまたは複数の）近接基地局）と、および／または、たとえば、認証、許可などの機能を実行することができる任意の異種デバイス（たとえば、サーバ）（図示せず）と通信することができる。基地局１０２およびモバイルデバイス１１６はそれぞれ、たとえば、システム１００、図２００、図３００、および／または図４００に関して本明細書でより十分に説明するようなそれぞれの構成要素とそれぞれ同じまたは同様であるとすることができ、および／または、それぞれの構成要素と同じまたは同様の機能をそれぞれ備えることができる。
【００４７】
モバイルデバイス１１６は、基地局１０２（たとえば、サービング基地局１０２）に通信可能に接続（たとえば、ワイヤレス接続）でき、接続はデータチャネルと制御チャネルとを備えることができる。データチャネルはモバイルデバイス１１６と基地局１０２との間のデータの伝送を可能にし、制御チャネルはモバイルデバイスと基地局１０２との間の制御情報の伝送を可能にする。
【００４８】
一態様では、モバイルデバイス１１６は、ネットワーク中でモバイルデバイス１１６による通信を可能にするために、近接基地局（たとえば、基地局１０２）に関連付けられた１つまたは複数の近接セル５０２を検出し、そこから情報を得ることができる。各近接セル５０２は、たとえば、システム１００、図２００、図３００、および／または図４００に関して本明細書でより十分に説明するような近接セルと同じまたは同様であるとすることができ、および／または、近接セルと同じまたは同様の機能を備えることができる。近接セルは、基地局１０２とは別個のものとして示されているが、近接基地局に関連付けることができ、近接基地局は、サービング基地局１０２に近接する基地局か、またはサービング基地局１０２自体とすることができることを諒解し、理解されたい。モバイルデバイス１１６は、モバイルデバイス１１６の近傍に位置する（１つまたは複数の）近接セル５０２など、１つまたは複数の近接セル５０２（ならびにサービング基地局１０２）を検出することができる検出器５０４を含むことができる。別の態様では、モバイルデバイス１１６は、近接セル５０２を選択すること（または、サービング基地局（たとえば、１０２）に関連付けられたサービングセルとの通信を維持すること）に関係する判断を可能にするために、近接セル５０２および／またはサービング基地局１０２に関連付けられた、信号強度、オフセット情報、ＣＳＧビット情報、インジケータ情報、識別情報、および／または他の情報などの情報を問い合わせおよび／または要求することができる質問器５０６を含むことができる。たとえば、モバイルデバイス１１６は信号強度をモニタすることができ、質問器５０６は、オフセット値（たとえば、Ｑｏｆｆｓｅｔ）および／またはＣＳＧビットなど、検出された近接セル５０２に関連付けられた様々なパラメータのうちの１つまたは複数を随意に要求し、および／または読み取ることができる。
【００４９】
さらに別の態様では、モバイルデバイス１１６は、属性および／またはパラメータ情報をサービング基地局１０２に送信することを可能にする属性コミュニケータ５０８を備えることができる。属性コミュニケータ５０８は、検出された近接セル５０２に関連付けられた、信号強度、オフセット情報、インジケータ情報（たとえば、オフセットインジケータ、１対１インジケータ、ＣＳＧビットインジケータなど）、識別情報、および／または他の情報をサービング基地局１０２に送信することができる。たとえば、属性コミュニケータ５０８は、サービング基地局１０２がモバイルデバイス１１６を近接セル５０２にハンドオフすべきかどうかを判断することを可能にするために、検出された近接セル５０２の信号強度に関係する測定報告などのメッセージを送信することができる。属性およびパラメータ情報は、モバイルデバイス１１６がネットワーク中で通信するために接続すべき近接セル５０２を選択すること（または、サービング基地局１０２との接続を維持すること）に関係する判断を可能にするために、サービング基地局１０２によって評価できる。
【００５０】
別の態様では、モバイルデバイス１１６は、セル（たとえば、近接セル５０２）に関連付けられた様々なパラメータに関係するインジケータ情報をサービング基地局１０２に送信することを可能にするために、属性コミュニケータ５０８と連携して作動することができるインジケータ５１０を含むことができる。たとえば、インジケータ５１０は、モバイルデバイス１１６が検出された近接セル５０２のオフセット（たとえば、Ｑｏｆｆｓｅｔ）を読み取り、測定報告と結合されたオフセット値の結合値を報告している（たとえば、モバイルデバイスがオフセット値を近接セル５０２の測定信号強度に付加した）かどうかを示すことができるオフセットインジケータを送信することを可能にする。別の例として、インジケータ５１０は、近接セル５０２に関連付けられたＣＳＧビットが読み取られ、および／または、メッセージ中でサービング基地局１０２に報告されているかどうかについて示すことができるインジケータ（たとえば、フラグ）を送信することを可能にする。
【００５１】
さらに別の態様では、モバイルデバイス１１６は、モバイルデバイス１１６がネットワーク中でデータ通信またはボイス通信のために通信可能に接続すべきセル（たとえば、サービング基地局１０２のサービングセル、近接セル５０２）を選択することを可能にする選択器５１２を含むことができる。モバイルデバイス１１６が接続すべきまたは切り替えるべき（または、接続されたままである）セルは、事前定義された選択基準に少なくとも部分的に基づいて判断できる。選択基準は、たとえば、モバイルデバイス１１６、サービング基地局１０２、および／または（１つまたは複数の）近接セル５０２の相対位置、セル（たとえば、サービング基地局１０２のサービングセル、（１つまたは複数の）近接セル５０２）のそれぞれの信号強度、ＣＳＧビット情報、および／または他の基準に関係することができる。
【００５２】
別の態様では、モバイルデバイス１１６は、基地局（たとえば、サービング基地局１０２、（１つまたは複数の）近接基地局５０２）およびセル（たとえば、近接セル５０２）に関係する、信号強度、オフセット情報、インジケータ情報（たとえば、オフセットインジケータ、１対１インジケータ、ＣＳＧビットインジケータなど）、識別情報、近接セルリスト、および／または他の情報などの情報、および／またはモバイルデバイス１１６およびワイヤレス通信環境における通信に関係する情報を記憶することができるデータストア５１４を備えることができる。基地局（たとえば、１０２）との接続を確立するか、セル５０２を検出するか、あるいは他の場合には基地局またはセルと対話するときに、モバイルデバイス１１６は、ネットワーク中でモバイルデバイス１１６による通信を可能にするために、データストア５１４から所望の情報（たとえば、近接セルリスト、オフセット情報など）を取り出し、取り出した情報をサービング基地局１０２に提供することができる。
【００５３】
一態様によれば、本明細書で説明するデータストア５１４は、揮発性メモリおよび／または不揮発性メモリを備えることができる。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリおよび／または不揮発性ランダムアクセスメモリ（ＮＶＲＡＭ）を含むことができる。揮発性メモリは、外部キャッシュメモリとして動作することができるランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。データストア５１４は、これらおよび他の適切なタイプのメモリを、これらに限定されることなく、備えるものとする。
【００５４】
図６を参照すると、開示する主題の一態様による、ワイヤレス通信環境中のモバイルデバイスに関連付けられた通信を可能にするシステム６００が示されている。システム６００は、モバイルデバイス１１６など、１つまたは複数のモバイルデバイスと通信することができる基地局１０２を含むことができる。明瞭さおよび簡潔さのために、１つのモバイルデバイス１１６のみが図６に示されていることを諒解し、理解されたい。また、基地局１０２は、別の（１つまたは複数の）基地局、（１つまたは複数の）セル（たとえば、近接セル５０２）、および／または、たとえば、認証、許可などの機能を実行することができる任意の異種デバイス（たとえば、サーバ）（図示せず）と通信することができる。明瞭さおよび簡潔さのために、１つの近接セル５０２が示されているが、開示する主題は複数の近接セル５０２を含むことができることを諒解されたい。基地局１０２、モバイルデバイス１１６、および近接セル５０２はそれぞれ、たとえば、システム１００、図２００、図３００、図４００、および／またはシステム５００に関して本明細書でより十分に説明するようなそれぞれの構成要素とそれぞれ同じまたは同様であるとすることができ、および／または、それぞれの構成要素と同じまたは同様の機能をそれぞれ備えることができる。
【００５５】
モバイルデバイス１１６は、基地局１０２（たとえば、サービング基地局１０２）に通信可能に接続（たとえば、ワイヤレス接続）でき、接続は、たとえば、データチャネルと制御チャネルとを備えることができる。一態様では、モバイルデバイス１１６は、近接セル５０２に関連付けられた、信号強度、オフセット情報、ＣＳＧビット情報、インジケータ情報、識別情報、および／または他の情報を含む情報をサービング基地局１０２に送信することができ、情報はサービング基地局１０２によって記憶できる。
【００５６】
一態様では、基地局（たとえば、サービング基地局１０２）は、基地局とモバイルデバイス１１６との間で、および／または基地局と別の基地局との間で、および／または基地局と他のデバイス（図示せず）との間で、情報の通信を可能にするコミュニケータ６０２を含むことができる。たとえば、コミュニケータ６０２は、Ｘ２インターフェースを介して、またはＭＭＥを介して情報をルーティングすることによって基地局（および／またはセル）間で情報を通信することを可能にする。
【００５７】
別の態様では、基地局（たとえば、サービング基地局１０２）は、モバイルデバイス１１６、別の（１つまたは複数の）基地局、（１つまたは複数の）セル（たとえば、近接セル５０２）、および／または別の（１つまたは複数の）デバイスに問い合わせること、および／または情報を要求することを可能にする質問器６０４を備えることができる。たとえば、モバイルデバイス１１６が近接セル５０２のオフセット値を読み取らなかったことを示すインジケータ情報をモバイルデバイス１１６がサービング基地局１０２に提供した場合、または、サービング基地局１０２がモバイルデバイス１１６から受信した近接セル５０２のオフセット値を検証することを望む場合、サービング基地局１０２の質問器６０４は近接セル５０２にオフセット値を要求することができる。
【００５８】
さらに別の態様では、基地局（たとえば、サービング基地局１０２）は、モバイルデバイス１１６を別のセル（たとえば、近接セル５０２）にハンドオーバすべきか、または、サービング基地局１０２のサービングセルがモバイルデバイス１１６を担当し続けるべきかを判断することを可能にするために、（１つまたは複数の）近接セル５０２およびサービング基地局１０２のそれぞれの信号強度、（１つまたは複数の）近接セル５０２およびサービング基地局１０２のそれぞれのオフセット値（たとえば、Ｑｏｆｆｓｅｔ）、それぞれのＣＳＧビット情報、事前定義された選択基準、および／または他の情報などの情報を評価することができる評価器６０６を備えることができる。基地局は選択器６０８をさらに含むことができ、評価器６０６は（１つまたは複数の）評価からの結果を選択器６０８に提供することができる。選択器６０８は、モバイルデバイス１１６を別のセル（たとえば、近接セル５０２）にハンドオーバすべきか、または、サービング基地局１０２のサービングセルがモバイルデバイス１１６を担当し続けるべきかを判断することができ、ハンドオフを行うべきであると判断した場合、事前定義された選択基準に少なくとも部分的に基づいて所望の近接セル５０２を選択することができる。
【００５９】
さらに別の態様では、基地局（たとえば、サービング基地局１０２）は、（１つまたは複数の）基地局（たとえば、サービング基地局１０２、（１つまたは複数の）近接基地局）に関係する、信号強度、オフセット情報、ＣＳＧビット情報、インジケータ情報、識別情報、近接セルリスト、および／または他の情報などの情報、モバイルデバイス１１６に関係する情報、および／またはワイヤレス通信環境における通信に別様に関係する情報を記憶することができるデータストア６１０を含むことができる。
【００６０】
一態様によれば、本明細書で説明するデータストア６１０は、揮発性メモリおよび／または不揮発性メモリを備えることができる。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリおよび／または不揮発性ランダムアクセスメモリ（ＮＶＲＡＭ）を含むことができる。揮発性メモリは、外部キャッシュメモリとして動作することができるランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。データストア６１０は、これらおよび他の適切なタイプのメモリを、これらに限定されることなく、備えるものとする。
【００６１】
一態様によれば、近接セル５０２は、近接セル５０２とモバイルデバイス１１６との間で、および／または近接セル５０２と基地局（たとえば、サービング基地局１０２）との間で、および／または近接セル５０２と他のデバイス（図示せず）との間で、情報（たとえば、データ、属性情報、インジケータ情報など）の通信を可能にするコミュニケータ６１２を含むことができる。たとえば、コミュニケータ６０２は、Ｘ２インターフェースを介して、またはＭＭＥを介して情報をルーティングすることによって基地局間および／またはセル間で情報を通信することを可能にする。
【００６２】
別の態様では、近接セルは、近接セル５０２に関連付けられた様々なパラメータに関係するインジケータ情報を、モバイルデバイス１１６および／またはサービング基地局１０２に送信することを可能にするインジケータ６１４を備えることができる。たとえば、インジケータ６１４は１対１インジケータ（たとえば、フラグ）を送信することを可能にし、その１対１インジケータは、設定された（たとえば、ＴＲＵＥに設定された）場合、近接セルがオフセットパラメータ値に関してそれぞれの基地局１０２と１対１の関係（たとえば、異なる基地局が異なるオフセットパラメータ値を有することができること）を所望することを示すことができ、設定されていない（たとえば、ＦＡＬＳＥに設定された）場合、近接セル５０２がオフセットパラメータ値に関して基地局１０２と１対全の関係（たとえば、同じオフセットパラメータ値がすべての基地局１０２用に使用されること）を所望することを示すことができる。インジケータ６１４は、近接セル５０２がＣＳＧに関連付けられているかどうかを示すことができるＣＳＧインジケータビットをも提供することができる。
【００６３】
さらに別の態様では、近接セル５０２は、近接セル５０２に関係する、オフセット情報、ＣＳＧビット情報、インジケータ情報、識別情報、および／または他の情報などの情報、および／またはワイヤレス通信環境における通信に別様に関係する情報を記憶することができるデータストア６１６を含むことができる。一態様によれば、本明細書で説明するデータストア６１６は、揮発性メモリおよび／または不揮発性メモリを備えることができる。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリおよび／または不揮発性ランダムアクセスメモリ（ＮＶＲＡＭ）を含むことができる。揮発性メモリは、外部キャッシュメモリとして動作することができるランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。データストア６１６は、これらおよび他の適切なタイプのメモリを、これらに限定されることなく、備えるものとする。
【００６４】
図７〜図９を参照すると、ネットワーク（たとえば、基地局１０２、コアネットワーク）におけるモバイルデバイスによる通信を可能にするために、検出された近接セル（たとえば、５０２）に関連付けられた（１つまたは複数の）パラメータを随意に読み取ることと、（１つまたは複数の）パラメータがモバイルデバイス（たとえば、１１６）によって読み取られたかどうかに関する（１つまたは複数の）インジケータを提供することとに関係する方法が示されている。説明を簡単にするために、方法を一連の行為として図示および説明するがが、いくつかの行為は、１つまたは複数の実施形態によれば、異なる順序で行うことができ、および／または、本明細書で図示および説明するものからの他の行為と同時に行うことができるので、方法は行為の順序によって限定されないことを理解し、諒解されたい。たとえば、方法は、状態図など、一連の相互に関連する状態またはイベントとして代替的に表現できることを当業者ならば理解し、諒解するであろう。その上、１つまたは複数の実施形態による方法を実装するために、図示のすべての動作が必要とされるわけではない。
【００６５】
図７を参照すると、開示する主題の一態様による、ワイヤレス通信システム中でモバイルデバイスに関連付けられた通信を可能にする方法７００が示されている。７０２で、検出された近接セル（たとえば、５０２）に関連付けられた（１つまたは複数の）パラメータを随意に読み取ることができる。一態様では、モバイルデバイス（たとえば、１１６）は、検出された近接セル５０２に関連付けられた、たとえば、オフセット（たとえば、Ｑｏｆｆｓｅｔ）および／またはＣＳＧビットなど、１つまたは複数のパラメータを随意に読み取ることができる。
【００６６】
７０４で、パラメータが、検出された近接セルから読み取られたかどうかを示す、パラメータに関連付けられた（１つまたは複数の）インジケータを送信することができる。一態様によれば、モバイルデバイス１１６は、検出された近接セル５０２に関連付けられたパラメータを読み取ったかどうかに少なくとも部分的に基づいて、インジケータを特定の値に設定することができる。モバイルデバイス１１６は、検出された近接セル５０２に関連付けられた信号強度および／または他の属性を測定することもできる。モバイルデバイス１１６は、検出された近接セル５０２のオフセット値を読み取った場合、オフセット値を測定信号強度に付加することができ、オフセットと測定信号強度との結合値と、オフセット値がモバイルデバイス１１６によって読み取られ、測定信号強度に適用されたことを示すように設定できるオフセットインジケータとを含んでいる測定報告をサービング基地局１０２に送信することができる。モバイルデバイス１１６は、検出された近接セル５０２のオフセット値を読み取らなかった場合、測定信号強度と、オフセット値がモバイルデバイス１１６によって読み取られなかったことを示すように設定できるオフセットインジケータとを含んでいる測定報告をサービング基地局１０２に送信することができる。
【００６７】
図８を参照すると、開示する主題の一態様による、ワイヤレス通信システム中でモバイルデバイスによる通信を可能にするために、モバイルデバイスによって検出された近接セルのパラメータ値を随意に読み取ることを可能にする方法８００が示されている。８０２で、近接セルリストを送信することができる。一態様では、サービング基地局１０２は、近接セルリストをサービング基地局１０２が担当しているモバイルデバイス（たとえば、１１６）に送信することができる。近接セルリストは、サービング基地局１０２が認識している検出された近接セル５０２を含むことができる。８０４で、（１つまたは複数の）セル（たとえば、（１つまたは複数の）近接セル）に関連付けられた信号をモニタすることができる。一態様では、モバイルデバイス１１６は、ネットワークにおける効率的な通信を可能にするために、近接セル５０２の検出と、モバイルデバイス１１６を接続することができる所望の（たとえば、最適な）セルを選択することに関する判断とを可能にするために、セル（たとえば、近接セル５０２）および／またはサービング基地局１０２（たとえば、サービング基地局１０２のサービングセル）にそれぞれ関連付けられた信号強度をモニタすることができる。
【００６８】
８０６で、近接セルを検出することができる。一態様では、モバイルデバイス１１６は（１つまたは複数の）近接セル５０２を検出することができる。８０８で、検出された近接セル５０２の信号強度を測定することができる。一態様では、モバイルデバイス１１６は、検出された近接セル５０２の信号強度を測定することができる。
【００６９】
８１０で、パラメータ値を随意に読み取ることができる。一態様では、モバイルデバイス１１６は、検出された近接セル５０２に関連付けられたパラメータ値を随意に読み取ることができる。たとえば、モバイルデバイス１１６は、信号強度に関係するオフセット値、ＣＳＧビット値、および／または検出された近接セル５０２に関連付けられた別の（１つまたは複数の）パラメータを随意に読み取ることができる。
【００７０】
８１０で、パラメータ値が読み取られなかった場合、８１２で、パラメータ値が読み取られなかったことを示すことができる、パラメータに関連付けられたインジケータ情報を含む測定報告を送信することができる。一態様では、モバイルデバイス１１６は、パラメータ値を読み取らなかったとき、パラメータ値（たとえば、Ｑｏｆｆｓｅｔ）が読み取られなかったことを示すように、パラメータに関連付けられたインジケータを設定することができる。モバイルデバイス１１６は、検出された近接セル５０２の測定信号強度に関する情報と、パラメータ値（たとえば、Ｑｏｆｆｓｅｔ）がモバイルデバイス１１６によって読み取られなかったことを示すことができるインジケータ（たとえば、オフセットインジケータ）とを含むことができる測定報告をサービング基地局１０２に送信することができる。８１４で、パラメータ値を要求することができる。一態様によれば、サービング基地局１０２は、検出された近接セル５０２に所望のパラメータ値（たとえば、Ｑｏｆｆｓｅｔ）を要求することができる。８１６で、パラメータ値を受信することができる。一態様では、検出された近接セル５０２は、パラメータ値の要求を受信し、所望のパラメータ値をサービング基地局１０２に送信することができ、サービング基地局１０２は所望のパラメータ値を受信することができる。この時点で、方法８００は参照番号８２０に進むことができる。
【００７１】
８１０で、パラメータ値が読み取られた場合、８１８で、パラメータ値が読み取られたことを示すことができる、パラメータに関連付けられたインジケータ情報を含む測定報告を送信することができる。一態様では、モバイルデバイス１１６は、パラメータ値を読み取ったとき、パラメータ値（たとえば、Ｑｏｆｆｓｅｔ）が、検出された近接セル５０２から読み取られたことを示すように、パラメータに関連付けられたインジケータを設定することができる。モバイルデバイス１１６は、Ｑｏｆｆｓｅｔなどの読み取ったパラメータ値を測定信号強度に適用することができる。モバイルデバイス１１６は、検出された近接セル５０２の信号強度（たとえば、Ｑｏｆｆｓｅｔに組み合わせられた測定信号強度）に関する情報と、パラメータ値（たとえば、Ｑｏｆｆｓｅｔ）がモバイルデバイス１１６によって読み取られた（および／または測定信号強度に組み合わせられた）ことを示すことができるインジケータ（たとえば、オフセットインジケータ）とを含むことができる測定報告をサービング基地局１０２に送信することができる。
【００７２】
別の態様によれば、必要に応じて、サービング基地局１０２が、パラメータ値が読み取られたことを示す測定報告を受信したとき、サービング基地局１０２は、モバイルデバイス１１６によって読み取られた受信パラメータ値が未検証であり、信頼できず、および／または揮発性であることを示すことができる「未検証」インジケータを設定することができる。そのような例では、サービング基地局１０２は、検出された近接セル５０２に所望のパラメータ値（たとえば、Ｑｏｆｆｓｅｔ）を要求することができる。検出された近接セル５０２は、パラメータ値の要求を受信し、所望のパラメータ値をサービング基地局１０２に送信することができ、サービング基地局１０２は所望のパラメータ値を受信することができる。この時点で、方法８００は参照番号８２０に進むことができる。
【００７３】
８２０で、近接セルリストを更新することができる。一態様では、サービング基地局１０２は、検出された近接セル５０２を含むように近接セルリストを更新することができる。更新された近接セルリストは、検出された近接セル５０２に関係する情報（たとえば、識別情報、パラメータ情報、属性情報など）を含むことができる。８２２で、更新された近接セルリストを送信することができる。一態様によれば、サービング基地局１０２は、更新された近接セルリストをモバイルデバイス１１６に送信することができる。
【００７４】
８２４で、モバイルデバイスを近接基地局にハンドオーバすべきかどうかに関する判断を行うことができる。一態様では、サービング基地局１０２は、モバイルデバイス１１６を特定の近接セル５０２にハンドオーバすべきか、またはサービング基地局１０２のサービングセルによって担当し続けるべきかを判断することを可能にするために、検出された近接セル５０２およびサービング基地局１０２に関連付けられたそれぞれの信号強度および／またはそれぞれのオフセット情報を評価することができる。８２４で、ハンドオーバを行うべきではない（たとえば、サービング基地局１０２のサービングセルがモバイルデバイス１１６を担当し続けるべきである）と判断された場合、方法８００は参照番号８０４に戻ることができ、そこで、たとえば、モバイルデバイス１１６がセル（たとえば、５０２）の信号をモニタすることができる。
【００７５】
８２４で、ハンドオーバを行うべきである（たとえば、モバイルデバイス１１６を現在のサービング基地局１０２から所望の近接セル５０２にハンドオーバすべきである）と判断された場合、８２６で、近接セルを選択することができる。一態様では、サービング基地局１０２は、検出された近接セル５０２およびサービング基地局１０２に関連付けられたそれぞれの信号強度および／またはそれぞれのオフセット情報の評価に少なくとも部分的に基づいて、モバイルデバイス１１６をハンドオーバすることができる所望の近接セルを選択することができる。
【００７６】
８２８で、モバイルデバイスをサービング基地局のサービングセルから、選択された近接セルに切り替えることができる。一態様では、（たとえば、サービング基地局１０２によって指定された）特定の時間に、モバイルデバイス１１６をサービング基地局１０２の現在のサービングセルから、選択された近接セル５０２に切り替える（たとえば、ハンドオーバする）ことができ、選択された近接セルは、モバイルデバイス１１６を担当する新しいサービングセルとすることができる。
【００７７】
図９を参照すると、開示する主題の一態様による、１対１インジケータを採用してワイヤレス通信システム中でモバイルデバイスに関連付けられた通信を可能にする方法９００が示されている。９０２で、第１の近接セルリストを受信することができる。一態様では、第１のサービング基地局１０２は、第１の近接セルリストを、第１のサービング基地局１０２が担当しているモバイルデバイス（たとえば、１１６）に送信することができ、モバイルデバイス１１６はそれを受信することができる。第１の近接セルリストは、第１のサービング基地局１０２が認識している検出された近接セル５０２を含むことができる。
【００７８】
９０４で、近接セルを検出することができる。一態様では、モバイルデバイス１１６は、近接セル５０２の検出と、モバイルデバイス１１６を接続することができる所望の（たとえば、最適な）セルを選択することに関する判断とを可能にするために、第１のサービング基地局１０２のサービングセルおよび／または任意の近接セル５０２などのセルにそれぞれ関連付けられた信号強度をモニタすることができる。別の態様では、モバイルデバイス１１６は、検出された（１つまたは複数の）近接セル５０２および／または第１のサービング基地局１０２のサービングセルの信号強度を測定することができる。
【００７９】
９０６で、オフセットパラメータ（たとえば、Ｑｏｆｆｓｅｔパラメータ）に関連付けられた１対１インジケータを受信することができる。一態様では、モバイルデバイス１１６は、検出された近接セル５０２に関係するオフセットパラメータに関連付けられた１対１インジケータを受信することができる。１対１インジケータは、検出された近接セル５０２が、基地局にそれぞれ関連付けできる特定のオフセットパラメータ値を有することを示すように設定できる（たとえば、検出された近接セル５０２は、（１つまたは複数の）基地局１０２に関連付けられた他のセルにそれぞれ関連付けできる特定のオフセットパラメータ値を有する）。たとえば、近接セル５０２の特定のオフセットパラメータ値が、近接セル５０２が比較されているかまたは関連付けられている基地局に部分的に応じて、１対１の関係を有することができることを示すように、１対１インジケータをＴＲＵＥに設定することができ、同じオフセットパラメータ値がいずれの基地局に関しても使用できるように、近接セル５０２のオフセットパラメータ値が基地局と１対全の関係を有することができることを示すように、１対１インジケータをＦＡＬＳＥに設定することができる。必要に応じて、１対１インジケータが、近接セル５０２と別の基地局（たとえば、基地局１０２の別のセル）との間で１対１の関係を示すように設定された（たとえば、１対１インジケータがＴＲＵＥに設定された）場合、モバイルデバイス１１６はオフセットパラメータ値を読み取らない。
【００８０】
たとえば、１対１の関係が示された場合、検出された近接セル５０２は、第１の基地局に関連付けられた第１のオフセットパラメータ値と、異種基地局に関連付けられた異種オフセットパラメータ値とを有することができる。適切なオフセットパラメータ値を利用して、測定信号強度を正規化および／または調整すれば、基地局の信号強度のより正確な測定および比較が可能になる。
【００８１】
９０８で、測定報告を送信することができ、測定報告は、オフセットパラメータに関して１対１の関係が存在すること、およびオフセットパラメータ値が読み取られなかったことを示すことができるインジケータ情報を含むことができる。一態様では、モバイルデバイス１１６は、検出された近接セル５０２の信号強度と、検出された近接セル５０２に関連付けられたオフセットパラメータに関して１対１の関係が存在する（たとえば、１対１インジケータがＴＲＵＥに設定される）こと、およびオフセットパラメータ値がモバイルデバイス１１６によって読み取られなかった（たとえば、オフセットインジケータがＦＡＬＳＥに設定される）ことを示すことができるインジケータ情報とを含むことができる測定報告を送信することができる。
【００８２】
９１０で、オフセットパラメータ値を要求することができる。一態様では、第１のサービング基地局１０２は、検出された近接セル５０２に、第１のサービング基地局１０２に適用可能な１対１のオフセットパラメータ値を要求することができる。９１２で、オフセットパラメータ値を受信することができる。一態様では、検出された近接セル５０２は、第１のサービング基地局１０２に部分的に基づいて、データストア６１６から適用可能なオフセットパラメータ値を取り出すことができ、適用可能なオフセットパラメータ値を第１のサービング基地局１０２に送信することができ、第１のサービング基地局１０２は、第１のサービング基地局１０２および検出された近接セル５０２に部分的に基づいて、特定の値を有することができる適用可能なオフセットパラメータ値を受信することができる。
【００８３】
９１４で、第１の近接セルリストを更新することができる。一態様では、第１のサービング基地局１０２は、検出された近接セル５０２と、それに関連付けられた情報（たとえば、識別情報、属性情報、パラメータ情報など）とを含むように、第１の近接セルリストを更新することができる。９１６で、更新された第１の近接セルリストを送信することができる。一態様では、第１のサービング基地局１０２は、更新された第１の近接セルリストをモバイルデバイス１１６に送信することができる。
【００８４】
９１８で、モバイルデバイスを異種基地局にハンドオーバすることができる。一態様では、それぞれの信号強度および／またはそれぞれのオフセットパラメータ値の評価に少なくとも部分的に基づいて、第１のサービング基地局１０２は、モバイルデバイス１１６を、異種基地局（たとえば、近接基地局の近接セル５０２）にハンドオーバすべきであることを判断することができ、異種基地局は異種サービング基地局１０２とすることができる。
【００８５】
９２０で、異種近接セルリストを受信することができる。一態様では、異種サービング基地局１０２は、異種近接セルリストを、異種サービング基地局１０２が担当しているモバイルデバイス（たとえば、１１６）に送信することができる。異種近接セルリストは、異種サービング基地局１０２が認識している検出された近接セル５０２を含むことができる。
【００８６】
９２２で、近接セルを検出することができる（たとえば、９０４で、同じ近接基地局を検出することができる）。一態様では、近接セル５０２の検出と、モバイルデバイス１１６を接続することができる所望の（たとえば、最適な）セルを選択することに関する判断とを可能にするために、モバイルデバイス１１６は、異種サービング基地局１０２の異種サービングセルおよび／または任意の近接セル５０２などのセルにそれぞれ関連付けられた信号強度をモニタすることができる。別の態様では、モバイルデバイス１１６は、検出された近接セル５０２および／または異種サービング基地局１０２の異種サービングセルの信号強度を測定することができる。
【００８７】
９２４で、オフセットパラメータ（たとえば、Ｑｏｆｆｓｅｔパラメータ）に関連付けられた１対１インジケータを受信することができる。一態様では、モバイルデバイス１１６は、検出された近接セル５０２に関係するオフセットパラメータに関連付けられた１対１インジケータを受信することができる。１対１インジケータは、検出された近接セル５０２が、基地局（たとえば、１０２）にそれぞれ関連付けできる特定のオフセットパラメータ値を有することを示すように設定できる。ここでも、必要に応じて、１対１インジケータが、近接セル５０２と特定の基地局との間で１対１の関係を示すように設定された（たとえば、１対１インジケータがＴＲＵＥに設定された）場合、モバイルデバイス１１６はオフセットパラメータ値を読み取らない。
【００８８】
９２６で、測定報告を送信することができ、測定報告はオフセットパラメータに関して１対１の関係が存在することと、オフセットパラメータ値が読み取られなかったこととを示すことができるインジケータ情報を含むことができる。一態様では、モバイルデバイス１１６は、検出された近接セル５０２の信号強度と、検出された近接セル５０２に関連付けられたオフセットパラメータに関して１対１の関係が存在する（たとえば、１対１インジケータがＴＲＵＥに設定される）こと、およびオフセットパラメータ値がモバイルデバイス１１６によって読み取られなかった（たとえば、オフセットインジケータがＦＡＬＳＥに設定される）ことを示すことができるインジケータ情報とを含むことができる測定報告を送信することができる。
【００８９】
９２８で、オフセットパラメータ値を要求することができる。一態様では、異種サービング基地局１０２は、検出された近接セル５０２に、異種サービング基地局１０２に適用可能な１対１のオフセットパラメータ値を要求することができる。９３０で、異種オフセットパラメータ値を受信することができる。一態様では、検出された近接セル５０２は、異種サービング基地局１０２に部分的に基づいて、データストア６１６から適用可能なオフセットパラメータ値（たとえば、異種オフセットパラメータ値）を取り出すことができ、適用可能なオフセットパラメータ値を異種サービング基地局１０２に送信することができ、異種サービング基地局１０２は、異種サービング基地局１０２および検出された近接セル５０２に部分的に基づいて、特定の値を有することができる適用可能なオフセットパラメータ値を受信することができる。
【００９０】
９３２で、異種近接セルリストを更新することができる。一態様では、異種サービング基地局５０２は、検出された近接セル５０２と、それに関連付けられた情報（たとえば、識別情報、属性情報、パラメータ情報、異種オフセットパラメータなど）とを含むように、異種近接セルリストを更新することができる。９３４で、更新された異種近接セルリストを送信することができる。一態様では、異種サービング基地局１０２は、更新された異種近接セルリストをモバイルデバイス１１６に送信することができる。
【００９１】
本明細書で説明する１つまたは複数の態様によれば、パラメータ値、および／または近接セル５０２に関連付けられたパラメータ値およびネットワーク中の（１つまたは複数の）モバイルデバイス１１６に関連付けられた通信にそれぞれ関係するインジケータ情報に関係して推論を行うことができることを諒解されたい。本明細書で使用する「推論する」または「推論」という用語は、概して、事象および／またはデータを介して捕捉された観察のセットから、システム、環境および／またはユーザの状態について推理する、またはその状態を推論するプロセスを指す。推論は、特定のコンテキストまたは動作を識別するために採用でき、または、たとえば、状態に関する確率分布を生成することができる。推論は確率、すなわち、データおよび事象の考察に基づく当該の状態に関する確率分布の計算とすることができる。推論は、事象および／またはデータのセットからより高いレベルの事象を構成するために採用された技法を指すこともある。そのような推論は、事象が近い時間的近傍で相関するかどうかに関わらず、事象およびデータが１つまたは複数の事象およびデータの発生源に由来するかどうかに関わらず、観察された事象および／または記憶された事象データのセットから新しい事象または動作を構成することになる。
【００９２】
たとえば、上記で提示された１つまたは複数の方法は、検出された近接セル５０２に関連付けられたパラメータ値がモバイルデバイス１１６によって読み取られたかどうか、サービング基地局１０２によって受信された、検出された近接セル５０２の信号強度の値が測定信号強度とオフセットパラメータ値との結合値であるか、または、検出された近接セル５０２の測定信号強度のみであるか、および／またはモバイルデバイス１１６をサービング基地局１０２のサービングセルから近接セル５０２にハンドオーバするべきかどうかに関係する（１つまたは複数の）推論を行うことを含むことができる。上記の例は、本質的に例示的であり、行うことができる推論の回数、または本明細書で説明する様々な実施形態および／または方法に関してそのような推論を行う方法を限定するものではないことを諒解されたい。
【００９３】
図１０は、開示する主題の一態様による、ワイヤレス通信システム中でモバイルデバイスに関連付けられた通信を可能にするモバイルデバイス１０００の図である。モバイルデバイス１０００は、たとえば、システム１００、図２００、図３００、図４００、システム５００、システム６００、方法７００、方法８００、および方法９００に関して本明細書でより多く説明するようなモバイルデバイス１１６と同じまたは同様であるとすることができ、および／または、モバイルデバイス１１６と同じまたは同様の機能を備えることができることを諒解されたい。
【００９４】
モバイルデバイス１０００は、たとえば、受信アンテナ（図示せず）から信号を受信する受信機１００２を備えることができ、受信信号に対して典型的な動作（たとえば、フィルタ処理、増幅、ダウンコンバートなど）を実行し、調整された信号をデジタル化してサンプルを得る。受信機１００２は、たとえばＭＭＳＥ受信機とすることができ、受信シンボルを復調し、復調されたシンボルをチャネル推定のためにプロセッサ１００６に供給することができる復調器１００４を備えることができる。プロセッサ１００６は、受信機１００２によって受信された情報の分析および／または送信機１００８による送信のための情報の生成に専用のプロセッサ、モバイルデバイス１０００の１つまたは複数の構成要素を制御するプロセッサ、および／または受信機１００２によって受信された情報の分析、送信機１００８による送信のための情報の生成、ならびにモバイルデバイス１０００の１つまたは複数の構成要素の制御を行うプロセッサとすることができる。モバイルデバイス１０００は、信号（たとえば、データ）を、たとえば、基地局１０２、別のモバイルデバイスなどに送信することを可能にするために、送信機１００８と連携して作動することができる変調器１０１０をも備えることができる。
【００９５】
プロセッサ１００６は、モバイルデバイス１０００の近傍に位置する（１つまたは複数の）セル（たとえば、（１つまたは複数の）近接セル５０２）を検出することを可能にする検出器５０４に接続できる。プロセッサ１００６はまた、基地局および／またはセル（たとえば、サービング基地局１０２、（１つまたは複数の）近接セル５０２）に、信号強度、オフセット値、ＣＳＧビット、識別情報、近接セルリスト、および／または他の情報などの情報を問い合わせること、読み取ること、および／または要求することを可能にする質問器５０６に接続できる。プロセッサ１００６は、属性およびパラメータ値（たとえば、信号強度、Ｑｏｆｆｓｅｔ）、インジケータ情報（たとえば、オフセットインジケータ、１対１インジケータ、ＣＳＧビットインジケータ）、識別情報、および／または他の情報など、（１つまたは複数の）セル（たとえば、（１つまたは複数の）近接セル５０２）に関係する情報をサービング基地局１０２に送信することを可能にする属性コミュニケータ５０８に接続できる。プロセッサ１００６は、オフセットインジケータ、ＣＳＧビットインジケータおよび／または１対１インジケータなど、（１つまたは複数の）近接セル５０２に関連付けられた様々なパラメータに関係するインジケータ情報をサービング基地局１０２に提供することを可能にするインジケータ５１０に接続できる。プロセッサ１００６はまた、たとえば、サービング基地局１０２がモバイルデバイス１１６を近接セル５０２にハンドオーバすべきであることを示すメッセージを送信する場合、所望のセルを選択することを可能にする選択器５１２に接続できる。
【００９６】
モバイルデバイス１０００は、プロセッサ１００６に動作可能に結合でき、送信すべきデータ、受信データ、基地局および／またはセル（たとえば、サービング基地局１０２、（１つまたは複数の）近接基地局５０２）に関係する情報、モバイルデバイス１０００に関係する情報、および／またはモバイルデバイス１０００に関連付けられたデータの通信を可能にする他の任意の好適な情報を記憶することができるデータストア５１４をさらに備えることができる。データストア５１４は、セルを検出すること、セルに情報を要求するか、もしくはセルから情報を読み取ること、インジケータ情報を提供すること、通信すべきセルを選択すること、および／またはモバイルデバイス１０００に関係する他の機能に関連付けられたプロトコルおよび／またはアルゴリズムをさらに記憶することができる。
【００９７】
検出器５０４、質問器５０６、属性コミュニケータ５０８、インジケータ５１０、選択器５１２、およびデータストア５１４はそれぞれ、たとえば、システム５００に関して本明細書でより十分に説明するようなそれぞれの構成要素と同じまたは同様であるとすることができ、あるいは、それぞれの構成要素と同じまたは同様の機能を備えることができることを諒解し、理解されたい。検出器５０４、質問器５０６、属性コミュニケータ５０８、インジケータ５１０、選択器５１２およびデータストア５１４はそれぞれ（図示のように）スタンドアロンユニットとすることができ、プロセッサ１００６内に含めることができ、必要に応じて、それらを別の構成要素内に組み込み、および／または、それらのほとんどどんな好適な組合せ内にも組み込むことができることを、さらに諒解し、理解されたい。
【００９８】
図１１は、開示する主題の一態様による、ワイヤレス通信システム中でモバイルデバイスに関連付けられた通信を可能にするシステム１１００の図である。システム１１００は基地局１０２（たとえば、アクセスポイント、．．．）を備えることができる。基地局１０２は、複数の受信アンテナ１１０４を介して１つまたは複数のモバイルデバイス１１６から（１つまたは複数の）信号を受信することができる受信機１１０２と、送信アンテナ１１０８を介して信号（たとえば、データ）を１つまたは複数のモバイルデバイス１１６に送信することができる送信機１１０６とを含むことができる。受信機１１０２は、受信アンテナ１１０４から情報を受信することができ、受信した情報を復調することができる復調器１１１０に動作可能に関連付けできる。復調されたシンボルは、受信機１１０２によって受信された情報の分析および／または送信機１１０６による送信のための情報の生成に専用のプロセッサ、基地局１０２の１つまたは複数の構成要素を制御するプロセッサ、および／または、受信機１１０２によって受信された情報の分析、送信機１１０６による送信のための情報の生成、および基地局１０２の１つまたは複数の構成要素の制御を行うプロセッサとすることができるプロセッサ１１１２によって分析できる。基地局１０２は、たとえば、信号（たとえば、データ）をモバイルデバイス１１６、別のデバイスなどに送信することを可能にするために、送信機１１０６と連携して作動することができる変調器１１１４をも備えることができる。
【００９９】
プロセッサ１１１２は、情報を基地局１０２からモバイルデバイス１１６、別の（１つまたは複数の）基地局、セル（たとえば、近接セル５０２）および／またはワイヤレス通信環境中の基地局１０２に関連付けられた別の（１つまたは複数の）デバイスに送信することを可能にするコミュニケータ６０２に接続できる。プロセッサ１１１２はまた、他の基地局、セル（たとえば、近接セル５０２）および／またはモバイルデバイス１１６に、情報（たとえば、Ｑｏｆｆｓｅｔ、ＣＳＧビットなど）を問い合わせること、読み取ること、および／または要求することを可能にする質問器６０４に接続できる。たとえば、モバイルデバイス１１６が、近接セル５０２のオフセット値を読み取らなかったことを示すように設定されたオフセットインジケータを提供した場合、または、基地局１０２が、モバイルデバイス１１６によって提供された近接セル５０２のオフセット値を検証することを望む場合、質問器６０４は近接セル５０２にＱｏｆｆｓｅｔ情報を要求することができる。
【０１００】
プロセッサ１１１２は、ネットワーク中でモバイルデバイス１１６による通信を可能にするために、モバイルデバイス１１６が通信することができるセルを選択することを可能にするために、モバイルデバイス１１６、基地局１０２、他の基地局および／またはセル（たとえば、近接セル５０２）に関係する情報を評価することを可能にする評価器６０６に接続できる。選択器６０８は、モバイルデバイス１１６がネットワーク中で通信すべきセルを判断し、選択する（たとえば、サービング基地局１０２のサービングセルに接続されたままか、あるいは近接セル５０２にハンドオーバされるかまたは切り替えられる）ことを可能にするので、プロセッサ１１１２はまた、評価結果を利用して、モバイルデバイス１１６が通信することができるセルを選択することを可能にする選択器６０８に接続できる。
【０１０１】
プロセッサ１１１２は、送信すべきデータ、受信データに関係する情報、基地局（たとえば、サービング基地局１０２）に関係する情報、モバイルデバイス１１６に関係する情報、セル（たとえば、近接セル５０２）に関係する情報、およびモバイルデバイス１１６に関連付けられた情報（たとえば、ボイス、データ）の通信を可能にする他の任意の好適な情報を記憶することができるデータストア６１０に結合できる。データストア６１０は、モバイルデバイス１１６、別の基地局、セルまたは別のデバイスと通信すること、基地局１０２、モバイルデバイス１１６またはセルに問い合わせること、モバイルデバイス１１６、基地局１０２、別の基地局１０２またはセル（たとえば、５０２）に関連付けられた情報を評価すること、および／またはモバイルデバイス１１６がネットワーク中で通信することができるセルを選択することに関連付けられ、それらを可能にするプロトコルおよび／またはアルゴリズムをさらに記憶することができる。
【０１０２】
コミュニケータ６０２、質問器６０４、評価器６０６、選択器６０８、およびデータストア６１０はそれぞれ、たとえば、システム６００に関して本明細書でより十分に説明するようなそれぞれの構成要素と同じまたは同様であるとすることができ、および／または、それぞれの構成要素と同じまたは同様の機能を備えることができることを諒解し、理解されたい。コミュニケータ６０２、質問器６０４、評価器６０６、選択器６０８およびデータストア６１０は、それぞれ（図示のように）スタンドアロンユニットとすることができ、プロセッサ１１１２内に含めることができ、必要に応じて、それらを別の構成要素内に組み込み、および／または、それらのほとんどどんな好適な組合せ内にも組み込むことができることを、さらに諒解し、理解されたい。
【０１０３】
図１２に、開示する主題の一態様による、例示的なワイヤレス通信システム１２００を示す。ワイヤレス通信システム１２００には、簡潔のために、１つの基地局１２１０と、１つのモバイルデバイス１２５０とを示してある。ただし、システム１２００は２つ以上の基地局および／または２つ以上のモバイルデバイスを含むことができ、追加の基地局および／またはモバイルデバイスは、以下で説明する例示的な基地局１２１０およびモバイルデバイス１２５０と実質的に同様または異なるものとすることができることを諒解されたい。さらに、基地局１２１０および／またはモバイルデバイス１２５０は、それらの間のワイヤレス通信を可能にするために、本明細書で説明するシステム（図１、図５〜図６、および図１０〜図１１）および／または方法（図７〜図９）を採用することができることを諒解されたい。基地局１２１０およびモバイルデバイス１２５０はそれぞれ、たとえば、システム１００、図２００、図３００、図４００、システム５００、システム６００、システム１０００および／またはシステム１１００に関して本明細書でより十分に説明するようなそれぞれの構成要素とそれぞれ同じまたは同様であるとすることができ、および／または、それぞれの構成要素と同じまたは同様の機能をそれぞれ備えることができる。
【０１０４】
基地局１２１０で、いくつかのデータストリームのトラフィックデータがデータソース１２１２から送信（ＴＸ）データプロセッサ１２１４に与えられる。一例によれば、各データストリームは、それぞれのアンテナを介して送信できる。ＴＸデータプロセッサ１２１４は、トラフィックデータストリーム用に選択された特定のコーディング方式に基づいてそのデータストリームをフォーマットし、コーディングし、インタリーブして、符号化データを与える。
【０１０５】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス１２５０において使用できる。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータ速度、コーディング、および変調は、プロセッサ１２３０によって実行または与えられる命令によって決定できる。
【０１０６】
データストリームの変調シンボルはＴＸ  ＭＩＭＯプロセッサ１２２０に与えられ、ＴＸ  ＭＩＭＯプロセッサ１２２０は、さらに（たとえば、ＯＦＤＭ用に）変調シンボルを処理することができる。次いで、ＴＸ  ＭＩＭＯプロセッサ１２２０は、ＮＴ個の変調シンボルストリームをＮＴ個の送信機（ＴＭＴＲ）１２２２ａ〜１２２２ｔに供給する。様々な実施形態において、ＴＸ  ＭＩＭＯプロセッサ１２２０は、データストリームのシンボルと、シンボルが送信されているアンテナとにビーム形成重みを適用する。
【０１０７】
各送信機１２２２は、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネルを介して送信するのに適した変調信号を与える。さらに、送信機１２２２ａ〜１２２２ｔからのＮＴ個の変調信号は、それぞれＮＴ個のアンテナ１２２４ａ〜１２２４ｔから送信される。
【０１０８】
モバイルデバイス１２５０では、送信された変調信号はＮＲ個のアンテナ１２５２ａ〜１２５２ｒによって受信され、各アンテナ１２５２からの受信信号は、それぞれの受信機（ＲＣＶＲ）１２５４ａ〜１２５４ｒに与えられる。各受信機１２５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【０１０９】
ＲＸデータプロセッサ１２６０は、特定の受信機処理技法に基づいてＮＲ個の受信機１２５４からＮＲ個の受信シンボルストリームを受信し、処理して、ＮＴ個の「検出」シンボルストリームを与えることができる。ＲＸデータプロセッサ１２６０は、各検出シンボルストリームを復調し、デインタリーブし、復号して、データストリームのトラフィックデータを復元することができる。ＲＸデータプロセッサ１２６０による処理は、基地局１２１０においてＴＸ  ＭＩＭＯプロセッサ１２２０およびＴＸデータプロセッサ１２１４によって実行される処理を補足するものである。
【０１１０】
プロセッサ１２７０は、どのプリコーディング行列（以下で論じる）を使用すべきかを周期的に判断することができる。さらに、プロセッサ１２７０は、行列インデックス部と階数値部とを備える逆方向リンクメッセージを作成することができる。
【０１１１】
逆方向リンクメッセージは、通信リンクおよび／または受信データストリームに関する様々なタイプの情報を備えることができる。逆方向リンクメッセージは、データソース１２３６から複数のデータストリームのトラフィックデータをも受信するＴＸデータプロセッサ１２３８によって処理され、変調器１２８０によって変調され、送信機１２５４ａ〜１２５４ｒによって調整され、基地局１２１０に戻される。
【０１１２】
基地局１２１０において、モバイルデバイス１２５０からの変調信号は、アンテナ１２２４によって受信され、受信機１２２２によって調整され、復調器１２４０によって復調され、ＲＸデータプロセッサ１２４２によって処理されて、モバイルデバイス１２５０によって送信された逆方向リンクメッセージが抽出される。さらに、プロセッサ１２３０は、抽出されたメッセージを処理し、ビーム形成重みを決定するためにどのプリコーディング行列を使用すべきかを判断することができる。
【０１１３】
プロセッサ１２３０および１２７０は、それぞれ基地局１２１０およびモバイルデバイス１２５０における動作を指示（たとえば、制御、調整、管理など）することができる。それぞれのプロセッサ１２３０および１２７０は、プログラムコードおよびデータを記憶するメモリ１２３２および１２７２に関連付けできる。プロセッサ１２３０および１２７０はまた、それぞれ、アップリンクとダウンリンクとに関して周波数推定とインパルス応答推定とを導き出すために計算を実行することも可能である。
【０１１４】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルである。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。一態様では、論理トラフィックチャネルは、ユーザ情報を転送するための１つのＵＥに専用のポイントツーポイント双方向チャネルである専用トラフィックチャネル（ＤＴＣＨ）を備える。さらに、トラフィックデータを送信するためのポイントツーマルチポイントＤＬチャネルであるマルチキャストトラフィックチャネル（ＭＴＣＨ）を備える。
【０１１５】
一態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥ省電力化（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネル用に使用できるＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルとＵＬチャネルとのセットを備える。
【０１１６】
ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、負荷インジケータチャネル（ＬＩＣＨ）を備えることができる。
【０１１７】
ＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、ブロードバンドパイロットチャネル（ＢＰＩＣＨ）を備えることができる。
【０１１８】
一態様では、シングルキャリア波形の（所与の時点において、チャネルが周波数において連続するまたは一様に離間される）ＰＡＲ特性を低いまま保つチャネル構造が提供される。
【０１１９】
本明細書で説明する実施形態は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【０１２０】
実施形態は、ソフトウェア、ファームウェア、ミドルウェアまたはマイクロコード、プログラムコードまたはコードセグメントで実装した場合、記憶構成要素など、機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパッシングおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパッシング、転送、または送信することができる。
【０１２１】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段を介してプロセッサに通信可能に結合できる。
【０１２２】
図１３を参照すると、ワイヤレス通信環境中でモバイルデバイスに関連付けられた通信を可能にするシステム１３００が示されている。たとえば、システム１３００は、少なくとも部分的にモバイルデバイス（たとえば、１１６）内に常駐することができる。システム１３００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１３００は、連携して動作することができる電気構成要素の論理グルーピング１３０２を含む。
【０１２３】
たとえば、論理グルーピング１３０２は、モバイルデバイス（たとえば、１１６）に関連付けられた通信に関係する情報を要求するために、セル（たとえば、近接セル５０２）に問い合わせるための電気構成要素１３０４を含むことができる。たとえば、セルに問い合わせるための電気構成要素は、モバイルデバイス１１６によって検出された近接セル５０２および／またはサービング基地局１０２に関連付けられた情報を要求および／または測定することができ、情報は、検出された近接セル５０２またはサービング基地局１０２に関連付けられた、信号強度、パラメータ値、属性値、識別情報、インジケータ情報、および／または他の情報を含むことができる。一態様では、セル（たとえば、検出された近接セル５０２）に問い合わせるための電気構成要素は、セルに関連付けられたオフセット値（たとえば、Ｑｏｆｆｓｅｔ）またはＣＳＧビットなどの１つまたは複数のパラメータを随意に読み取ることができる。
【０１２４】
さらに、論理グルーピング１３０２は、セル（たとえば、（１つまたは複数の）近接セル５０２）に関連付けられた１つまたは複数のパラメータに関係するインジケータ情報を提供するための電気構成要素１３０６を備えることができる。一態様では、インジケータ情報を提供するための電気構成要素は、モバイルデバイス１１６が（１つまたは複数の）パラメータ値を読み取り、および／または、読み取られた（１つまたは複数の）パラメータ値に部分的に基づいて、セル（たとえば、検出された近接セル５０２）に関連付けられた測定された属性値を調整したかどうかを示すことができるインジケータ情報を提供することができる。
【０１２５】
論理グルーピング１３０２は、モバイルデバイス（たとえば、１１６）との通信を可能にするためにセルを選択することに関係する情報を提供するための電気構成要素１３０８をも含むことができる。たとえば、セルを選択することに関係する情報を提供するための電気構成要素は、ネットワーク中でモバイルデバイス１１６による通信を可能にするために、モバイルデバイス１１６を接続すべき所望の（たとえば、最適な）セル（たとえば、モバイルデバイス１１６用のサービング基地局１０２のサービングセルとすべきセル）を選択することを可能にするために、評価できる識別情報、属性情報、パラメータ情報、インジケータ情報、および／または他の情報を提供することができる。さらに、システム１３００は、電気構成要素１３０４、１３０６、および１３０８に関連付けられた機能を実行するための命令を保持することができるメモリ１３１０を含むことができる。メモリ１３１０の外部にあるものとして図示されているが、１つまたは複数の電気構成要素１３０４、１３０６、および１３０８はメモリ１３１０の内部に存在することができることを理解されたい。
【０１２６】
図１４を参照すると、ワイヤレス通信環境中でモバイルデバイスに関連付けられた通信を可能にするシステム１４００が示されている。たとえば、システム１４００は、モバイルデバイス（たとえば、１１６）に関連付けできる（たとえば、ワイヤレス接続できる）基地局１０２（たとえば、サービング基地局１０２）内に、少なくとも部分的に常駐することができる。システム１４００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１４００は、連携して動作することができる電気構成要素の論理グルーピング１４０２を含む。
【０１２７】
一態様では、論理グルーピング１４０２は、検出された（１つまたは複数の）セル（たとえば、検出された近接セル５０２）に関連付けられた１つまたは複数のパラメータに関係するインジケータ情報を受信するための電気構成要素１４０４を含むことができる。さらに、論理グルーピング１４０２は、受信したインジケータ情報に少なくとも部分的に基づいて、検出された（１つまたは複数の）セル（たとえば、検出された（１つまたは複数の）近接セル５０２）に関連付けられた（１つまたは複数の）属性値を判断するための電気構成要素１４０６を備えることができる。論理グルーピング１４０２は、受信したインジケータ情報に少なくとも部分的に基づいて、近接セルリストを修正するための電気構成要素１４０８をも含むことができる。一態様では、近接セルリストを修正するための電気構成要素は、受信したインジケータ情報（たとえば、Ｑｏｆｆｓｅｔ、ＣＳＧビットなど）に少なくとも部分的に基づいて、検出された近接セル５０２に関係する情報を含むように、サービング基地局１０２の近接セルリストを随意に修正することができる。近接セルリストを修正するための電気構成要素は、更新された近接セルリストをサービング基地局１０２に関連付けられたモバイルデバイス１１６に、提供（たとえば、ブロードキャスト）することができる。論理グルーピング１４０２は、モバイルデバイス（たとえば、１１６）が、受信したインジケータ情報に少なくとも部分的に基づいて、接続し、通信することができるセルを選択するための電気構成要素１４１０をも含むことができる。さらに、システム１４００は、電気構成要素１４０４、１４０６、１４０８、および１４１０に関連付けられた機能を実行するための命令を保持するメモリ１４１２を含むことができる。メモリ１４１２の外部にあるものとして図示されているが、１つまたは複数の電気構成要素１４０４、１４０６、１４０８、および１４１０はメモリ１４１２の内部に存在することができることを理解されたい。
【０１２８】
上記で説明したことは１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。
【図１】
2010532971.tif 000003
【図２】
2010532971.tif 000004
【図３】
2010532971.tif 000005
【図４】
2010532971.tif 000006
【図５】
2010532971.tif 000007
【図６】
2010532971.tif 000008
【図７】
2010532971.tif 000009
【図８】
2010532971.tif 000010
【図９】
2010532971.tif 000011
【図１０】
2010532971.tif 000012
【図１１】
2010532971.tif 000013
【図１２】
2010532971.tif 000014
【図１３】
2010532971.tif 000015
【図１４】
2010532971.tif 000016
【国際調査報告】
2010532971.tif 000017
2010532971.tif 000018
2010532971.tif 000019